(57)【要約】【課題】装置本体のサイズ、特に、設置面積の増大を抑えながら、液体容器の大容量化が図られた液体噴射装置を提供する。【解決手段】液体噴射装置としてのプリンター１は、液体としてのインクを収容可能な液体容器としてのタンク１０と、タンク１０から供給されるインクを目標とする媒体に向けて噴射可能な液体噴射ヘッドを含み、該液体噴射ヘッドに対する媒体の相対位置を変化させることができる液体噴射機構部４１と、を備え、液体噴射機構部４１を使用する使用姿勢において、タンク１０の上端部１０ｔが、液体噴射機構部４１の上端部４１ｔより上方に位置することを特徴とする。【選択図】図１８
2018001528.tif 000002
【特許請求の範囲】
【請求項１】
液体を収容可能な液体容器と、
前記液体容器から供給される前記液体を目標とする媒体に向けて噴射可能な液体噴射ヘッドを含み、前記液体噴射ヘッドに対する前記媒体の相対位置を変化させることができる液体噴射機構部と、を備え、
前記液体噴射機構部を使用する使用姿勢において、前記液体容器の上端部が、前記液体噴射機構部の上端部より上方に位置することを特徴とする液体噴射装置。
【請求項２】
請求項１に記載の液体噴射装置において、
用紙に描かれている画像を読み取り、前記画像の画像データを出力する画像読み取り機構部を備えており、
前記液体容器の上端部が、前記画像読み取り機構部の下端部よりも上方に位置することを特徴とする液体噴射装置。
【請求項３】
請求項１または２に記載の液体噴射装置において、
前記使用姿勢において、当該液体噴射装置を操作する操作部を有する操作パネルを備えており、
前記液体容器の上端部が、前記操作パネルの上端部の位置と同等、または、前記操作パネルの上端部よりも上方に位置することを特徴とする液体噴射装置。
【請求項４】
請求項１〜３のいずれか一項に記載の液体噴射装置において、
前記液体容器は、収容された前記液体の液面の上方に空気が収容されている空気収容部を有しており、
前記使用姿勢において、前記空気収容部の少なくとも一部は、前記液体噴射機構部の上端部より上方に位置することを特徴とする液体噴射装置。
【請求項５】
請求項４に記載の液体噴射装置において、
前記液体容器の内部が、前記液体を収容する液体収容室と、前記空気収容部としての空気収容室とに区画されていることを特徴とする液体噴射装置。
【発明の詳細な説明】
【技術分野】
【０００１】
本発明は、液体噴射装置に関する。
【背景技術】
【０００２】
従来、プリンターの一例として、インクジェットプリンターが知られている。例えば、特許文献１に、液体の一例であるインクを収容可能なインク容器（タンク）と、そのインク容器から供給されるインクを噴射可能な印刷ヘッド（液体噴射ヘッド）を含み、印刷ヘッドに対する印刷用紙などの印刷媒体の相対位置を変化させることが出来る液体噴射機構部と、を備えたインクジェットプリンターが紹介されている。
【先行技術文献】
【特許文献】
【０００３】
【特許文献１】特開２０１５−１３１４３３号公報
【発明の概要】
【発明が解決しようとする課題】
【０００４】
近年、プリンターの小型化へのニーズが高まり、例えば、プリンターの設置面積を抑えることへの要求が高まっている。その一方で、インク補充型のインク容器へのインク補充の頻度、または、交換型のインク容器の交換頻度の低減を図ることなどにより、低コストにて大量の印刷を実現するために、インク容器の容量を大きくすることへのニーズが高まっている。しかしながら、インク容器を大きくすると、プリンターのタンクユニットの大きさが増大するために、プリンターのサイズ、特に、設置面積方向のサイズの増大を抑えながら、インク容器の大容量化を図ることは困難であるという課題があった。
【課題を解決するための手段】
【０００５】
本発明は、上述の課題の少なくとも一部を解決するためになされたものであり、以下の形態または適用例として実現することが可能である。
【０００６】
［適用例１］  本適用例にかかる液体噴射装置は、液体を収容可能な液体容器と、前記液体容器から供給される前記液体を目標とする媒体に向けて噴射可能な液体噴射ヘッドを含み、前記液体噴射ヘッドに対する前記媒体の相対位置を変化させることができる液体噴射機構部と、を備え、前記液体噴射機構部を使用する使用姿勢において、前記液体容器の上端部が、前記液体噴射機構部の上端部より上方に位置することを特徴とする。
【０００７】
本適用例において、水平な平面に液体噴射装置を配置したときの液体噴射装置の状態が、液体噴射機構部を使用する使用状態であり、使用姿勢とは、水平面に一致させたＸＹ平面に液体噴射装置を配置したときの液体噴射装置および液体噴射機構部の姿勢のことをいう。
また、液体容器および液体噴射機構部の「上端部」とは、上述の「使用状態」における液体容器および液体噴射機構部の最も上方に位置する部分のことをいい、例えば、上方に突出した突出部を有する場合は、その突出部の突端を「上端部」という。
本適用例によれば、液体噴射機構部を使用する使用姿勢において、液体容器の上端部が、液体噴射機構の上端部より上方に位置する構成になっているので、液体噴射装置における液体容器の上方の空間を効率よく利用して、液体容器の液体を収容する容積を大きくして大容量化を図ることができる。
したがって、液体噴射装置の設置面積の増大を抑えながら、液体容器の大容量化が図られた液体噴射装置を提供することができる。
【０００８】
［適用例２］  上記適用例にかかる液体噴射装置において、用紙に描かれている画像を読み取り、前記画像の画像データを出力する画像読み取り機構部を備えており、前記液体容器の上端部が、前記画像読み取り機構部の下端部よりも上方に位置することが好ましい。
【０００９】
本適用例によれば、液体容器の上端部が、画像読み取り機構部の下端部よりも上方に位置する構成になっているので、液体噴射装置の設置面積の増大を抑えつつ、液体容器をより大容量化することができる。
【００１０】
［適用例３］  上記適用例にかかる液体噴射装置において、前記使用姿勢において、当該液体噴射装置を操作する操作部を有する操作パネルを備えており、前記液体容器の上端部が、前記操作パネルの上端部の位置と同等、または、前記操作パネルの上端部よりも上方に位置することを特徴とする。
【００１１】
本適用例によれば、液体容器の上端部が、液体噴射装置の上下方向に沿う面の液体噴射機構部に少なくとも一部が重なる位置に配置された操作パネルの上端部よりも上方に位置する構成になっているので、液体噴射装置の設置面積の増大を抑えつつ、液体容器の大容量化を図ることができる。
【００１２】
［適用例４］  上記適用例にかかる液体噴射装置において、前記液体容器は、収容された前記液体の液面の上方に空気が収容されている空気収容部を有しており、前記使用姿勢において、前記空気収容部の少なくとも一部は、前記液体噴射機構部の上端部より上方に位置することを特徴とする。
【００１３】
本適用例によれば、液体容器の上方の空間を効率よく利用して、液体噴射装置の設置面積の増大を抑えながら、液体容器の空気収容部を含む液体収容量を大きくする大容量化を図ることができる。
【００１４】
［適用例５］  上記適用例にかかる液体噴射装置において、前記液体容器の内部が、前記液体を収容する液体収容室と、前記空気収容部としての空気収容室とに区画されていることが好ましい。
【００１５】
本適用例によれば、液体噴射装置の設置面積の増大を抑えつつ液体容器の大容量化を図ることができるとともに、液体容器の内部が、液体を収容する液体収容室と空気収容部としての空気収容室とに区画されているので、液体容器の内部の内圧の変化により空気収容部の大気開放口などから液体が漏れ出る液漏れを抑制することができるという効果が得られる。
【図面の簡単な説明】
【００１６】
【図１】実施形態１における液体噴射装置としてのプリンターの主要構成を示す斜視図。
【図２】実施形態１におけるプリンターの主要構成を示す斜視図。
【図３】実施形態１におけるプリンターの主要構成を示す斜視図。
【図４】実施形態１におけるタンクユニットを示す斜視図。
【図５】実施形態１におけるプリンターの主要構成を示す平面図。
【図６】実施形態１におけるタンクユニットの一部を示す斜視図。
【図７】実施形態１におけるタンクを示す斜視図。
【図８】実施形態１におけるタンクを示す斜視図。
【図９】実施形態１におけるタンクを示す斜視図。
【図１０】実施形態１におけるタンクを示す分解斜視図。
【図１１】実施形態１におけるタンクを示す分解斜視図。
【図１２】実施形態１におけるタンクのケースの外観を示す図。
【図１３】実施形態１におけるタンクのケースの外観を示す図。
【図１４】実施形態１におけるタンクの外観を示す図。
【図１５】実施形態１におけるタンクの外観を示す図。
【図１６】実施形態１におけるタンクの流路を模式的に示す図。
【図１７】実施形態１におけるタンクの外観を示す図。
【図１８】実施形態１におけるタンクの上端部と印刷部の各部位との位置関係をプリンターの正面からみて示す説明図。
【図１９】実施形態１におけるタンクの上端部と印刷部の各部位との位置関係をタンクユニット側からみて示す説明図。
【図２０】実施形態２におけるプリンターの主要構成を示す斜視図。
【図２１】実施形態２におけるプリンターの主要構成を示す斜視図。
【図２２】実施形態２におけるタンクの概略構成を示す説明図。
【発明を実施するための形態】
【００１７】
実施形態について、図面を参照しながら説明する。なお、各図面において、それぞれの構成を認識可能な程度の大きさにするために、構成や部材の縮尺が異なっていることがある。
【００１８】
（実施形態１）
実施形態１における液体噴射装置としてのプリンター１は、図１に示すように、液体噴射装置の主要部である印刷ユニット３と、印刷ユニット３の側部に併設されたタンクユニット４と、スキャナーユニット５と、を有している。印刷ユニット３は、筐体６を有している。筐体６が、印刷ユニット３の外殻を構成している。筐体６の内部には、印刷ユニット３の液体噴射機構部（後述する）が収容されている。タンクユニット４は、筐体７と、複数（２個又は２個を超える個数）のタンク１０と、を有している。複数のタンク１０は、筐体７に収容されている。このため、複数のタンク１０は、印刷ユニット３に併設されている。なお、本実施形態では、４つのタンク１０が設けられている。筐体６と筐体７とスキャナーユニット５とが、プリンター１の外殻を構成している。なお、プリンター１としては、スキャナーユニット５を省略した構成も採用され得る。プリンター１は、液体の一例であるインクによって、印刷用紙などの印刷媒体Ｐに印刷を行うことができる。印刷媒体Ｐは、印刷が施される（印刷の目標とする）媒体の一例である。なお、タンク１０は、液体容器の一例である。
【００１９】
ここで、図１には、相互に直交する座標軸であるＸＹＺ軸が付されている。これ以降に示す図についても必要に応じてＸＹＺ軸が付されている。この場合、各図におけるＸＹＺ軸は、図１におけるＸＹＺ軸に対応する。図１には、Ｘ軸とＹ軸とによって規定されるＸＹ平面にプリンター１を配置した状態が図示されている。本実施形態では、ＸＹ平面を水平な平面に一致させた状態でプリンター１をＸＹ平面に配置したときの状態が、プリンター１の使用状態である。水平面に一致させたＸＹ平面にプリンター１を配置したときのプリンター１の姿勢を、プリンター１の使用姿勢と呼ぶ。
【００２０】
以下において、プリンター１の構成部品やユニットを示す図や説明にＸ軸、Ｙ軸、及びＺ軸が表記されている場合には、その構成部品やユニットをプリンター１に組み込んだ（搭載した）状態でのＸ軸、Ｙ軸、及びＺ軸を意味する。また、プリンター１の使用姿勢における各構成部品やユニットの姿勢を、それらの構成部品やユニットの使用姿勢と呼ぶ。そして、以下において、プリンター１や、その構成部品、ユニット等の説明では、特にことわりがないときには、それぞれの使用姿勢での説明とする。
【００２１】
Ｚ軸は、ＸＹ平面に直交する軸である。プリンター１の使用状態において、Ｚ軸方向が鉛直上方向となる。そして、プリンター１の使用状態では、図１において、−Ｚ軸方向が鉛直下方向である。なお、ＸＹＺ軸のそれぞれにおいて、矢印の向きが＋（正）の方向を示し、矢印の向きとは反対の向きが−（負）の方向を示している。なお、上述した４つのタンク１０は、Ｙ軸に沿って並んでいる。このためＹ軸方向は、４つのタンク１０が配列する方向であるとも定義され得る。
【００２２】
印刷ユニット３には、排紙部２１が設けられている。印刷ユニット３では、排紙部２１から印刷媒体Ｐが排出される。印刷ユニット３において、排紙部２１が設けられている面が正面２２とされている。印刷ユニット３の正面２２と、スキャナーユニット５の正面２２とは、互いに同一の平面内に位置している。つまり、プリンター１の正面２２は、印刷ユニット３の正面２２と、スキャナーユニット５の正面２２とを包含している。
【００２３】
プリンター１において、スキャナーユニット５の鉛直上向きの面が上面２３とされている。タンクユニット４は、正面２２及び上面２３に交差する側部のうちＸ軸方向に面する側部に設けられている。筐体７には、窓部２５が設けられている。窓部２５は、筐体７において、正面２６と上面２７とに交差する側面２８に設けられている。ここで、タンクユニット４の正面２６は、プリンター１の正面２２と同じ方向（本実施形態ではＹ軸方向）に向いている。タンクユニット４の正面２６は、プリンター１の正面２２と同一の平面内に位置している。つまり、タンクユニット４の正面２６は、印刷ユニット３の正面２２と同一の平面内に位置している。これにより、プリンター１の外観において、印刷ユニット３とタンクユニット４との間の凹凸を軽減することができるので、プリンター１を移送するときなどに周囲の環境にぶつかりにくくすることができる。
【００２４】
タンクユニット４において、窓部２５は、光透過性を有している。そして、窓部２５に重なる位置に、上述した４つのタンク１０が設けられている。タンク１０には、液体収容室としてのインク収容部２９が設けられている。タンク１０において、インクは、インク収容部２９に収容される。そして、窓部２５は、タンク１０のうちインク収容部２９に重なる位置に設けられている。このため、プリンター１を使用する作業者は、窓部２５を介して４つのタンク１０のインク収容部２９を筐体７ごしに視認することができる。本実施形態では、窓部２５は、筐体７に形成された開口として設けられている。作業者は、開口である窓部２５を介して４つのタンク１０を視認することができる。なお、窓部２５は、開口に限定されず、例えば、光透過性を有する部材で構成されていてもよい。
【００２５】
本実施形態では、各タンク１０の窓部２５に対面するインク収容部２９の壁の少なくとも一部が光透過性を有している。各インク収容部２９の光透過性を有する部位から、インク収容部２９内のインクが視認され得る。従って、作業者は、窓部２５を介して４つのタンク１０を視認することによって、各タンク１０のインク収容部２９におけるインクの量を視認することができる。つまり、タンク１０では、窓部２５に対面する部位の少なくとも一部を、インクの量を視認可能な視認部として活用することができる。よって、作業者は、窓部２５を介して４つのタンク１０の視認部を筐体７ごしに視認することができる。なお、インク収容部２９の壁のすべてが光透過性を有していてもよい。また、タンク１０において、窓部２５に対面する部位のすべてを、インクの量を視認可能な視認部として活用することもできる。
【００２６】
プリンター１において、印刷ユニット３とスキャナーユニット５とは、（Ｚ軸方向に）互いに重ねられている。印刷ユニット３を使用する状態において、スキャナーユニット５は、印刷ユニット３の鉛直上方に位置している。スキャナーユニット５は、フラットベッドタイプであり、図２に示すように、開閉可能に回動する原稿カバー３１と、原稿カバー３１を開いた状態で露出する原稿載置面３２と、を有している。なお、図２では、原稿カバー３１を開いた状態が図示されている。スキャナーユニット５は、イメージセンサーなどの撮像素子（図示せず）を有している。スキャナーユニット５は、原稿載置面３２に載置された用紙などの原稿に描出された画像を、撮像素子を介して画像データとして読み取り、読み取った画像データを出力することができる。このため、スキャナーユニット５は、画像などの読み取り装置（画像読み取り機構部）として機能する。
【００２７】
スキャナーユニット５は、図３に示すように、印刷ユニット３に対して回動可能に構成されている。スキャナーユニット５は、印刷ユニット３の蓋としての機能も有している。作業者は、スキャナーユニット５をＺ軸方向に持ち上げることによって、スキャナーユニット５を印刷ユニット３に対して回動させることができる。これにより、印刷ユニット３の蓋として機能するスキャナーユニット５を印刷ユニット３に対して開くことができる。図３では、スキャナーユニット５を印刷ユニット３に対して開いた状態が図示されている。
【００２８】
印刷ユニット３は、図３に示すように、液体噴射機構部４１を有している。液体噴射機構部４１は、印刷部４２を有している。印刷ユニット３において、印刷部４２は、筐体６に収容されている。印刷部４２は、搬送装置（図示せず）でＹ軸方向に搬送される印刷媒体Ｐに、インクで印刷を行う。なお、図示しない搬送装置は、印刷媒体Ｐを、Ｙ軸方向に間欠的に搬送する。印刷部４２は、移動装置（図示せず）によって、Ｘ軸に沿って往復移動可能に構成されており、印刷部４２に対する印刷媒体Ｐの相対位置を変化させることができるようになっている。タンクユニット４は、印刷部４２にインクを供給する。なお、プリンター１では、タンクユニット４の少なくとも一部は、筐体６の外側に突出している。なお、印刷部４２は、筐体６に収容されている。これにより、印刷部４２を筐体６で保護することができる。
【００２９】
ここで、Ｘ軸に沿う方向は、Ｘ軸と完全に平行な方向に限定されず、Ｘ軸に直交する方向を除いて、誤差や公差等により傾いた方向も含む。同様に、Ｙ軸に沿う方向は、Ｙ軸と完全に平行な方向に限定されず、Ｙ軸に直交する方向を除いて、誤差や公差等により傾いた方向も含む。Ｚ軸に沿う方向は、Ｚ軸と完全に平行な方向に限定されず、Ｚ軸に直交する方向を除いて、誤差や公差等により傾いた方向も含む。つまり、任意の軸や面に沿う方向は、これらの任意の軸や面に完全に平行な方向に限定されず、これらの任意の軸や面に直交する方向を除いて、誤差や公差等により傾いた方向も含む。
【００３０】
図３に示すプリンター１の使用姿勢において、印刷ユニット３の上下方向に沿う面である正面２２の液体噴射機構部４１に少なくとも一部が上下方向において重なる位置には、プリンター１を操作するボタン型スイッチや４方向プッシュスイッチおよびセンタープッシュスイッチの複合スイッチ等の操作部を有する操作パネル６０が設けられている。操作パネル６０の各操作部は、各々を操作することにより、電源のオン・オフを行ったり、印刷開始・中止・再開を行ったり、給紙や排紙、および、プリンター１の各種メンテナンスを実行できるようになっている。なお、操作パネル６０は、操作部の操作方法のガイダンス画像や、操作部を操作した結果等を画像として表示する、例えばＬＣＤ（Liquid Crystal Display）等の表示部を有する構成としてもよい。
【００３１】
タンクユニット４は、タンク１０を有している。本実施形態では、タンクユニット４が、複数の（本実施形態では４つの）タンク１０を有している。複数のタンク１０は、印刷ユニット３の筐体６の外側に位置している。複数のタンク１０は、筐体７の内部に収容されている。これにより、タンク１０を筐体７で保護することができる。筐体７は、筐体６の外側に位置している。筐体７は、筐体６に対してねじで固定されている。つまり、タンクユニット４は、印刷ユニット３に対してねじで固定されている。
【００３２】
なお、本実施形態では、タンクユニット４が複数（４つ）のタンク１０を有している。しかしながら、タンク１０の個数は４つに限定されず、３つや、３つを下回る個数、４つを超える個数も採用され得る。
【００３３】
さらに、本実施形態では、複数のタンク１０が互いに別体で構成されている。しかしながら、液体収容体の一例であるタンク１０の構成は、これに限定されない。液体収容体の構成としては、複数のタンク１０を一体にして１つの液体収容体とする構成も採用され得る。この場合、１つの液体収容体に複数の液体収容部が設けられる。複数の液体収容部は、互いに個別に仕切られ、異なる種類の液体を収容可能に構成される。この場合、例えば、複数の液体収容部に、異なる色のインクを個別に収容することができる。複数のタンク１０を一体にして１つの液体収容体とする方法としては、複数のタンク１０を一体に接合したり結合したりする方法や、一体成形によって複数のタンク１０を一体にする方法などが挙げられる。
【００３４】
各タンク１０には、図３に示すように、インク供給チューブ４３が接続される。タンク１０内のインクは、タンクユニット４からインク供給チューブ４３を介して印刷部４２に供給される。印刷部４２には、液体噴射ヘッドの一例である印刷ヘッド（図示せず）が設けられている。印刷ヘッドには、印刷媒体Ｐ側に向けられたノズル開口（図示せず）が形成されている。印刷ヘッドは、いわゆるインクジェット式の印刷ヘッドである。タンクユニット４からインク供給チューブ４３を介して印刷部４２に供給されたインクは、印刷ヘッドに供給される。そして、印刷部４２に供給されたインクが、印刷ヘッドのノズル開口から目標とする印刷媒体Ｐに向けてインク滴として吐出される。
【００３５】
上記の例では、印刷ユニット３とタンクユニット４とが互いに個別の構成として例示されている。つまり、上記の例では、筐体７と筐体６とが互いに別体である。しかしながら、筐体７と筐体６が一体である構成も採用され得る。筐体７と筐体６とが一体である場合、複数のタンク１０は、印刷部４２やインク供給チューブ４３とともに筐体６の内部に収容される、ということができる。
【００３６】
また、タンク１０の配置箇所は、筐体６のＸ軸方向の側部側に限定されない。タンク１０の配置箇所としては、例えば、筐体６のＹ軸方向の前面側も採用され得る。
【００３７】
上記の構成を有するプリンター１では、印刷媒体ＰをＹ軸方向に搬送させ、且つ印刷部４２をＸ軸に沿って往復移動させながら、印刷部４２の印刷ヘッドに所定の位置でインク滴を吐出させることによって、印刷媒体Ｐに印刷が行われる。
【００３８】
インクは、水性インクと油性インクのいずれか一方に限定されるものではない。また、水性インクとしては、水性溶媒に染料などの溶質が溶解した構成を有するもの、水性分散媒に顔料などの分散質が分散した構成を有するもののいずれでもよい。また、油性インクとしては、油性溶媒に染料などの溶質が溶解した構成を有するもの、油性分散媒に顔料などの分散質が分散した構成を有するもののいずれでもよい。
【００３９】
タンクユニット４では、図４に示すように、タンク１０に標識４４が付加されている。また、タンク１０は、注入部４５と、上述した視認部の一例である視認面４６と、を有している。タンク１０では、注入部４５を介してタンク１０の外部からタンク１０の内部にインクを注入することができる。注入部４５は、タンク１０のインク収容部２９に通じている。注入部４５は、筒部４５Ａと、インク導入口４５Ｂと、を含む。筒部４５Ａは、筒状の構造を有しており、タンク１０から上方に突出している。インク導入口４５Ｂは、筒部４５Ａの上端に位置する開口である。インク導入口４５Ｂは、上方に向かって開口している。なお、作業者は、筐体７のカバー４７を開くことによって、筐体７の外側からタンク１０の注入部４５にアクセスすることができる。カバー４７は、ヒンジを介して本体５２Ａに回動可能に構成されている。なお、上方は、鉛直上方に限定されず、水平方向を除いて、鉛直方向に対して傾斜した方向も含む。同様に、下方は、鉛直下方に限定されず、水平方向を除いて、鉛直方向に対して傾斜した方向も含む。
【００４０】
視認面４６は、窓部２５に対面している。作業者は、窓部２５を介してタンク１０の視認面４６を視認することによって、各タンク１０のインク収容部２９内のインクの量を視認することができる。なお、各タンク１０におけるインクの量は、インクに関する情報の１つである。標識４４は、インクに関する情報を示す。本実施形態では、標識４４は、タンク１０の視認面４６に設けられている。
【００４１】
インクに関する情報を示す標識４４としては、例えば、上限マーク４８や、下限マーク４９などが挙げられる。本実施形態では、タンク１０の視認面４６に、上限マーク４８及び下限マーク４９が付加されている。作業者は、上限マーク４８及び下限マーク４９を目印にしてタンク１０におけるインクの量を把握することができる。なお、上限マーク４８は、注入部４５からインクを注入したときに注入部４５から溢れないようなインク量の目安を示すものである。また、下限マーク４９は、インクの注入を促すときのインク量の目安を示すものである。上限マーク４８及び下限マーク４９の少なくとも一方をタンク１０に設ける構成も採用され得る。
【００４２】
なお、インクに関する情報を示す標識４４としては、各タンク１０におけるインクの量を示す目盛りなども採用され得る。上限マーク４８及び下限マーク４９に目盛りを付加した構成や、上限マーク４８及び下限マーク４９を省略して目盛りだけを付加した構成なども採用され得る。また、インクに関する情報を示す標識４４として、各タンク１０に収容されるインクの種類を示すものも採用され得る。例えば、インクの種類としてインクの色を示す標識４４が挙げられる。インクの色を示す標識４４としては、例えば、ブラックのインクを示す「Ｂｋ」、シアンのインクを示す「Ｃ」、マゼンタのインクを示す「Ｍ」、及びイエローのインクを示す「Ｙ」等の文字や、色による表示など、種々の標識４４が挙げられる。
【００４３】
筐体７は、図４に示すように、第１筐体５１と、第２筐体５２と、を含む。第１筐体５１は、複数のタンク１０よりも−Ｚ軸方向に位置している。第２筐体５２は、第１筐体５１よりもＺ軸方向に位置しており、第１筐体５１のＺ軸方向から複数のタンク１０を覆っている。複数のタンク１０は、第１筐体５１と第２筐体５２とによって覆われている。第２筐体５２は、本体５２Ａと、カバー４７と、を含む。本体５２Ａは、タンク１０の注入部４５を除いた部分の少なくとも一部を覆っている。本体５２Ａは、筐体の一例である。カバー４７は、第２筐体５２のＸ軸方向の端部に位置している。カバー４７は、Ｘ軸方向に面する側面２８の一部を構成している。カバー４７は、図４に示すように、第２筐体５２の本体５２Ａに対して回動可能に構成されている。なお、本体５２Ａがタンク１０の注入部４５を除いたすべての部分を覆っている構成も採用され得る。
【００４４】
カバー４７が第２筐体５２の本体５２Ａに対して開かれると、複数のタンク１０の注入部４５が露呈する。これにより、作業者は、筐体７の外側からタンク１０の注入部４５にアクセスすることができる。なお、インク導入口４５Ｂは、キャップ５３で封止されている。タンク１０にインクを注入するとき、キャップ５３を注入部４５から外してインク導入口４５Ｂを開放してからインクが注入される。なお、プリンター１では、使用姿勢において、インク導入口４５Ｂが水平方向よりも上方に向く。
【００４５】
なお、キャップ５３は、インク導入口４５Ｂごとに設けられている。つまり、本実施形態では、インク導入口４５Ｂの個数と、キャップ５３の個数とが、互いに同じ個数（本実施形態では４つ）である。以下において、４つのキャップ５３を個別に識別する場合に、４つのキャップ５３は、それぞれ、キャップ５３Ａ、キャップ５３Ｂ、キャップ５３Ｃ、及びキャップ５３Ｄと表記される。キャップ５３は、本体５２Ａに対して着脱可能であり、本実施形態におけるプリンター１では、必須の構成ではない。
【００４６】
また、タンクユニット４では、本体５２Ａに受け皿５４が設けられている。受け皿５４には、注入部４５から外したキャップ５３を載置することができる。本実施形態では、注入部４５から外されたキャップ５３を受け皿５４に載置させる目的で受け皿５４が設けられている。受け皿５４は、インク導入口４５Ｂごとに設けられている。つまり、本実施形態では、インク導入口４５Ｂの個数と、受け皿５４の個数とが、互いに同じ個数（本実施形態では４つ）である。複数（本実施形態では４つ）のインク導入口４５Ｂは、Ｙ軸に沿って並んでいる。また、複数（本実施形態では４つ）の受け皿５４も、Ｙ軸に沿って並んでいる。
【００４７】
以下において、４つの受け皿５４を個別に識別する場合に、４つの受け皿５４は、それぞれ、受け皿５４Ａ、受け皿５４Ｂ、受け皿５４Ｃ、及び受け皿５４Ｄと表記される。また、以下において、４つのインク導入口４５Ｂを個別に識別する場合に、４つのインク導入口４５Ｂは、それぞれ、インク導入口４５Ｂ１、インク導入口４５Ｂ２、インク導入口４５Ｂ３、及びインク導入口４５Ｂ４と表記される。４つのインク導入口４５Ｂのうちインク導入口４５Ｂ１が最もＹ軸方向に位置している。つまり、４つのインク導入口４５Ｂは、−Ｙ軸方向からＹ軸方向に向かって、インク導入口４５Ｂ４、インク導入口４５Ｂ３、インク導入口４５Ｂ２、及びインク導入口４５Ｂ１の順に並んでいる。
【００４８】
受け皿５４Ａ及びキャップ５３Ａが、インク導入口４５Ｂ１に対応付けられる。また、受け皿５４Ｂ及びキャップ５３Ｂがインク導入口４５Ｂ２に対応付けられ、受け皿５４Ｃ及びキャップ５３Ｃがインク導入口４５Ｂ３に対応付けられ、受け皿５４Ｄ及びキャップ５３Ｄがインク導入口４５Ｂ４に対応付けられる。
【００４９】
第２筐体５２の本体５２Ａは、図４に示すように、被覆部７１を有している。被覆部７１は、カバー４７を本体５２Ａに対して閉じた状態でカバー４７によって覆われる部分である。被覆部７１は、Ｘ軸方向に面する壁７２と、壁７２に交差する方向に面する壁７３と、を含む。壁７２は、側面２８よりも−Ｘ軸方向に位置している。壁７３は、上面２７（図３）よりも−Ｚ軸方向に位置している。被覆部７１には、４つの開口部７４が形成されている。４つの開口部７４は、それぞれ、タンク１０の配置に対応して形成されている。開口部７４は、壁７２と壁７３との交差部をまたいで壁７２と壁７３とにかかる位置に形成されている。タンク１０の注入部４５は、開口部７４を介して本体５２Ａから露出している。
【００５０】
また、被覆部７１には、凹部８１が設けられている。凹部８１は、壁７２から−Ｘ軸方向に凹となる向きに設けられている。凹部８１は、インク導入口４５Ｂごとに設けられている。以下において、４つの凹部８１を個別に識別する場合に、４つの凹部８１は、それぞれ、凹部８１Ａ、凹部８１Ｂ、凹部８１Ｃ、及び凹部８１Ｄと表記される。このとき、凹部８１Ａがインク導入口４５Ｂ１に対応付けられ、凹部８１Ｂがインク導入口４５Ｂ２に対応付けられ、凹部８１Ｃがインク導入口４５Ｂ３に対応付けられ、凹部８１Ｄがインク導入口４５Ｂ４に対応付けられる。凹部８１は、本体５２Ａを正面に見て、すなわち本体５２Ａを−Ｘ軸方向に見て、インク導入口４５Ｂと受け皿５４とに重なっている。換言すれば、本体５２Ａを正面に見て、互いに対応付けられたインク導入口４５Ｂと受け皿５４とが、凹部８１に重なる領域内に位置している。
【００５１】
また、各凹部８１には、傾斜壁８２が設けられている。このため、４つの凹部８１を有する本体５２Ａには、４つの傾斜壁８２が設けられている。傾斜壁８２は、壁７２に対して傾斜している。本実施形態では、壁７２は、ＹＺ平面に沿って延伸している。このため、傾斜壁８２は、ＹＺ平面に対して傾斜している。傾斜壁８２は、上方から下方に下降するにつれて、すなわちＺ軸方向から−Ｚ軸方向に向かうにつれて、−Ｘ軸方向に向かう向きに傾斜している。換言すれば、傾斜壁８２は、上方から下方に下降するにつれて筐体７の内側に向かって、すなわち上方から下方に下降するにつれて印刷ユニット３（図３）側に向かって傾斜している。
【００５２】
以下において、４つの傾斜壁８２を個別に識別する場合に、４つの傾斜壁８２は、それぞれ、傾斜壁８２Ａ、傾斜壁８２Ｂ、傾斜壁８２Ｃ、及び傾斜壁８２Ｄと表記される。このとき、傾斜壁８２Ａがインク導入口４５Ｂ１に対応付けられ、傾斜壁８２Ｂがインク導入口４５Ｂ２に対応付けられ、傾斜壁８２Ｃがインク導入口４５Ｂ３に対応付けられ、傾斜壁８２Ｄがインク導入口４５Ｂ４に対応付けられる。なお、本体５２Ａの壁７２は、傾斜壁８２を有する側壁に対応している。
【００５３】
プリンター１の使用姿勢においてプリンター１をＺ軸方向から見たとき、受け皿５４とインク導入口４５Ｂとは、図５に示すように、プリンター１の一辺８３に沿った第１方向に並んでいる。本実施形態では、プリンター１の一辺８３に沿った第１方向は、Ｙ軸方向に相当している。ここで、４つのインク導入口４５Ｂは、図５に示すように、プリンター１の領域内に位置している。つまり、４つのインク導入口４５Ｂは、プリンター１の一辺８３よりも−Ｘ軸方向、すなわち一辺８３よりも印刷ユニット３側に位置している。
【００５４】
そして、図５で見て、一辺８３に沿った第１方向に交差し、且つ一辺８３からインク導入口４５Ｂに向かう方向を第２方向として、一辺８３よりも第２方向の位置に本体５２Ａの壁７２が位置している。本実施形態では、一辺８３に沿った第１方向に交差し、且つ一辺８３からインク導入口４５Ｂに向かう第２方向は、−Ｘ軸方向に相当している。また、インク導入口４５Ｂよりも第２方向に位置する側壁が本体５２Ａの壁７２に相当している。
【００５５】
本体５２Ａには、図６に示すように、接続部８４が設けられている。接続部８４には、キャップ５３（図４）に設けられた係留部（後述する）が接続される。接続部８４は、インク導入口４５Ｂごとに設けられている。つまり、本実施形態では、４つの接続部８４が設けられている。以下において、４つの接続部８４を個別に識別する場合に、４つの接続部８４は、それぞれ、接続部８４Ａ、接続部８４Ｂ、接続部８４Ｃ、及び接続部８４Ｄと表記される。このとき、接続部８４Ａがインク導入口４５Ｂ１に対応付けられ、接続部８４Ｂがインク導入口４５Ｂ２に対応付けられ、接続部８４Ｃがインク導入口４５Ｂ３に対応付けられ、接続部８４Ｄがインク導入口４５Ｂ４に対応付けられる。
【００５６】
本体５２Ａにおいて、接続部８４は、凹部８１内に設けられている。接続部８４は、凹部８１からＸ軸方向に突出する突起の形態を有している。本実施形態では、接続部８４のＸ軸方向における突出量が凹部８１の深さに納まっている。このため、接続部８４は、凹部８１の深さよりも突出していない。凹部８１内において、接続部８４は、傾斜壁８２に設けられている。つまり、本実施形態では、接続部８４は、傾斜壁８２からＸ軸方向に突出している。なお、傾斜壁８２は、平坦な面に限定されず、凹凸を含む面や、曲面も採用され得る。
【００５７】
タンク１０は、図７に示すように、面１０１と、面１０２と、面１０３と、面１０４と、面１０５と、面１０６と、面１０７と、を有している。面１０１〜面１０７は、それぞれ、タンク１０において、外方に向いている面である。また、タンク１０は、図８に示すように、面１０８と、面１０９と、面１１０と、面１１１と、面１１２と、面１１３と、面１１４と、面１１５と、を有している。面１０８〜面１１５は、それぞれ、タンク１０において、外方に向いている面である。また、タンク１０は、図９に示すように、面１１６を有している。面１１６は、タンク１０において、外方に向いている面である。
【００５８】
面１０１〜面１１６は、タンク１０の外殻を構成している。面１０１〜面１１６は、それぞれ、平坦な面に限定されない。面１０１〜面１１６には、凹凸や段差、曲面などが含まれることがある。また、面１０１〜面１１６に、突出物が形成されていることもある。
【００５９】
面１０１は、図７に示すように、前述した視認面４６に設定されている。面１０１には、標識４４の一例である上限マーク４８や下限マーク４９が設けられている。上限マーク４８や下限マーク４９は、面１０１から突出しており、上記の突出物の一例である。面１０１は、Ｘ軸方向に向いている。面１０１は、ＹＺ平面に沿って延伸している。
【００６０】
面１０２は、面１０１のＺ軸方向の位置に位置しており、面１０１に交差している。面１０２は、ＸＹ平面及びＹＺ平面に対して傾斜している。面１０２は、面１０１から−Ｘ軸方向に向かうにつれてＺ軸方向に向かう向きに傾斜している。面１０２には、注入部４５が設けられている。注入部４５は、面１０２の傾斜にならって傾斜している。このため、筒部４５Ａも、面１０２の傾斜にならって傾斜している。そして、インク導入口４５Ｂも、面１０２の傾斜にならって傾斜している。
【００６１】
また、面１０２には、囲壁１２１が設けられている。囲壁１２１は、注入部４５の外側に管状に設けられており、注入部４５を外側から囲んでいる。囲壁１２１は、面１０２から上方に向かって突出している。囲壁１２１も面１０２の傾斜にならって傾斜している。このため、囲壁１２１は、筒部４５Ａが面１０２から突出する方向と同じ方向に向かって、面１０２から突出している。なお、筒部４５Ａや囲壁１２１も突出物の一例である。
【００６２】
面１０３は、Ｘ軸方向に向いており、ＹＺ平面に沿って延伸している。面１０３は、面１０２のＺ軸方向の位置に位置しており、面１０２に交差している。また、面１０３は、面１０１よりも−Ｘ軸方向の位置に位置している。面１０４は、面１０３のＺ軸方向の位置に位置しており、面１０３に交差している。面１０４は、ＸＹ平面及びＹＺ平面に対して傾斜している。面１０４は、面１０３からＺ軸方向に向かうにつれてＸ軸方向に向かう向きに傾斜している。
【００６３】
面１０５は、Ｘ軸方向に向いており、ＹＺ平面に沿って延伸している。面１０５は、面１０４のＺ軸方向の位置に位置しており、面１０４に交差している。また、面１０５は、面１０３よりもＸ軸方向の位置に位置し、且つ面１０１よりも−Ｘ軸方向の位置に位置している。つまり、タンク１０をＹ軸方向に見たとき、面１０５は、面１０１と面１０３との間に位置している。面１０６は、面１０５の−Ｘ軸方向の位置に位置しており、面１０４よりもＺ軸方向の位置で面１０５に交差している。面１０６は、Ｚ軸方向に向いており、ＸＹ平面に沿って延伸している。
【００６４】
面１０６には、大気開放部１２２が設けられている。大気開放部１２２は、面１０６からＺ軸方向に向かって突出している。大気開放部１２２には、Ｚ軸方向に向かって開口する大気開放口１２３が形成されている。また、面１０６には、筒壁１２４が設けられている。筒壁１２４は、大気開放部１２２の外側に筒状に設けられており、大気開放部１２２を外側から囲んでいる。筒壁１２４は、面１０６からＺ軸方向に向かって突出している。また、面１０６には、被固定部１２５が設けられている。被固定部１２５は、面１０６からＺ軸方向に向かって突出している。なお、大気開放部１２２や筒壁１２４、被固定部１２５も突出物の一例である。
【００６５】
面１０７は、面１０１〜面１０６の−Ｙ軸方向の位置に位置しており、面１０１〜面１０６に交差している。面１０７は、−Ｙ軸方向に向いており、ＸＺ平面に沿って延伸している。
【００６６】
なお、ＸＺ平面に沿って延伸する面は、ＸＺ平面に完全に平行に延伸する面に限定されず、ＸＺ平面に直交する面を除いて、誤差や公差等により傾いた面も含む。同様に、ＹＺ平面に沿って延伸する面は、ＹＺ平面に完全に平行に延伸する面に限定されず、ＹＺ平面に直交する面を除いて、誤差や公差等により傾いた面も含む。ＸＹ平面に沿って延伸する面は、ＸＹ平面に完全に平行に延伸する面に限定されず、ＸＹ平面に直交する面を除いて、誤差や公差等により傾いた面も含む。
【００６７】
また、２つの面が交差するとは、２つの面が互いに平行でない位置関係であることを示す。２つの面が互いに直接に接触している場合のほか、直接に接触しておらず互いに離れている位置関係でも、一方の面の延長と他方の面の延長とが交差する関係である場合も交差するという。交差する２つの面がなす角は、直角、鈍角、鋭角のいずれでもよい。
【００６８】
タンク１０において外方に向いている面のうち面１０８は、図８に示すように、下方に向いている。面１０８は、ＸＹ平面及びＹＺ平面に対して傾斜している。面１０８は、面１０１（図７）及び面１０７の−Ｚ軸方向の位置に位置しており、面１０１及び面１０７に交差している。面１０８は、Ｙ軸方向から−Ｙ軸方向に向かうにつれて−Ｚ軸方向に向かう向きに傾斜している。また、面１０８は、Ｘ軸方向から−Ｘ軸方向に向かうにつれて−Ｚ軸方向に向かう向きに傾斜している。
【００６９】
面１０８には、図８に示すように、脚部１２６が設けられている。本実施形態では、複数の脚部１２６が設けられている。脚部１２６は、面１０８から−Ｚ軸方向に向かって突出している。脚部１２６は、タンク１０を第１筐体５１（図４）に配置するときに位置決めや固定に活用される。脚部１２６も、前述した突出物の一例である。
【００７０】
面１０９は、図８に示すように、−Ｘ軸方向に向いており、ＹＺ平面に沿って延伸している。面１０９は、面１０８のＺ軸方向の位置に位置しており、面１０８に交差している。面１０９には、張り出し部１２７が設けられている。張り出し部１２７は、面１０９のうち−Ｙ軸方向の端部に位置している。張り出し部１２７は、面１０９から−Ｘ軸方向に張り出している。本実施形態では、張り出し部１２７は、面１０９のうち−Ｙ軸方向の端部において、Ｚ軸に沿った領域にわたって設けられている。なお、張り出し部１２７の裏側の面、すなわち張り出し部１２７の−Ｙ軸方向側の面は、図７に示す面１０７に相当している。
【００７１】
図８に示すように、張り出し部１２７は、Ｙ軸方向に向いており、ＸＺ平面に沿って延伸している。張り出し部１２７の−Ｚ軸方向の端部には、インク供給部１２８が設けられている。インク供給部１２８は、張り出し部１２７からＹ軸方向に向かって突出している。インク供給部１２８には、Ｙ軸方向に向かって開口するインク供給口１２９が形成されている。本実施形態では、インク供給部１２８にインク供給チューブ４３（図３）が接続される。タンク１０内のインクは、インク供給口１２９からインク供給チューブ４３を介して印刷部４２（図３）に供給される。インク供給口１２９は、液体導出口に相当する。
【００７２】
また、図８に示すように、面１０９には、チューブ保持部１３１やリブ１３２が設けられている。チューブ保持部１３１は、面１０９から−Ｘ軸方向に向かって突出している。また、リブ１３２も、面１０９から−Ｘ軸方向に向かって突出している。チューブ保持部１３１やリブ１３２も、前述した突出物の一例である。チューブ保持部１３１は、環状の外観を有しており、一部が切り欠かれた形態を有している。チューブ保持部１３１は、インク供給チューブ４３（図３）を挿入可能に構成されている。チューブ保持部１３１によってインク供給チューブ４３を保持することができる。これにより、例えば、プリンター１の組立のときに、インク供給チューブ４３の固定や配管を容易に行うことができる。
【００７３】
面１１０は、図８に示すように、−Ｚ軸方向に向いており、ＸＹ平面に沿って延伸している。面１１０は、面１０９のＺ軸方向の位置に位置しており、面１０９に交差している。なお、張り出し部１２７は、面１０９から面１１０に跨って一連している。面１１１は、−Ｘ軸方向に向いており、ＹＺ平面に沿って延伸している。面１１１は、面１１０のＺ軸方向の位置に位置しており、面１１０に交差している。また、面１１１は、面１０９よりも−Ｘ軸方向に位置している。なお、張り出し部１２７は、面１０９から面１１０及び面１１１に跨って一連している。面１１１には、リブ１３３が設けられている。リブ１３３は、面１１１から−Ｘ軸方向に向かって突出している。リブ１３３も、前述した突出物の一例である。
【００７４】
面１１２は、−Ｘ軸方向に向いており、ＹＺ平面に沿って延伸している。面１１２は、図７に示す面１０６の−Ｚ軸方向の位置に位置しており、面１０６に交差している。面１１２は、図８に示すように、面１１１よりもＸ軸方向に位置し、且つ面１０９よりも−Ｘ軸方向に位置している。
【００７５】
ここで、タンク１０では、図９に示すように、面１１６が面１１１と面１１２との間に位置している。面１１６は、Ｚ軸方向に向いており、ＸＹ平面に沿って延伸している。面１１６は、面１１１のＺ軸方向の位置に位置し、且つ面１１２の−Ｚ軸方向の位置に位置している。面１１６は、面１１１のＺ軸方向の端部において面１１１に交差し、面１１２の−Ｚ軸方向の端部において面１１２に交差している。そして、面１１２は、面１１６側とは反対側、すなわちＺ軸方向側において、面１０６に交差している。なお、張り出し部１２７は、面１１１から面１１６と面１１２とを通って面１０６に跨って一連している。そして、図７に示すように、張り出し部１２７は、面１０６から面１０５を通って面１０４に跨っている。つまり、張り出し部１２７は、面１０９（図８）から面１１０、面１１１、面１１６（図９）、面１１２、面１０６、及び面１０５（図７）を通って、面１０４まで一連して延在している。
【００７６】
図８に示すように、面１１３は、Ｙ軸方向に向いており、ＸＺ平面に沿って延伸している。面１１３は、面１０８及び面１０９のＹ軸方向の位置に位置しており、面１０８及び面１０９に交差している。面１１４は、Ｙ軸方向に向いており、ＸＺ平面に沿って延伸している。面１１４は、面１０９のＹ軸方向の位置に位置しており、面１０９に交差している。また、面１１４は、面１１３のＺ軸方向の位置に位置している。
【００７７】
面１１５は、Ｙ軸方向に向いており、ＸＺ平面に沿って延伸している。面１１５は、面１１０、面１１１、面１１２、及び面１１６（図９）のＹ軸方向の位置に位置している。面１１５は、面１１０、面１１１、面１１２、及び面１１６（図９）に交差している。なお、図８に示すように、面１１４は、面１１３と面１１５との間に位置している。そして、面１１４は、面１１３や面１１５よりも−Ｙ軸方向の位置に位置している。なお、以下において、面１１３〜面１１５を総称して前面１３５と表記する場合がある。前面１３５は、タンク１０において、Ｙ軸方向に向いている面である。
【００７８】
タンク１０は、図１０に示すように、ケース１３７と、フィルムの一例であるシート部材１３８と、を有している。ケース１３７は、例えば、ナイロンやポリプロピレン等の合成樹脂により構成されている。また、シート部材１３８は、合成樹脂（例えば、ナイロンや、ポリプロピレン等）によりフィルム状に形成され、可撓性を有する。なお、シート部材１３８のうち−Ｙ軸方向に向いている面が、タンク１０の面１０７（図７）に相当している。
【００７９】
図１０に示すように、ケース１３７には、凹部１４１と、凹部１４２と、凹部１４３と、凹部１４４と、凹部１４５と、凹部１４６と、凹部１４７と、凹部１４８と、凹部１４９と、が形成されている。ケース１３７において、凹部１４１〜凹部１４９は、Ｙ軸方向に凹となる向きに形成されている。ケース１３７において、凹部１４１〜凹部１４９は、−Ｙ軸方向に向かって開口している。凹部１４１〜凹部１４９は、後述する隔壁によって相互に仕切られている。また、ケース１３７には、接合部１５１が設けられている。図１０では、構成をわかりやすく示すため、接合部１５１にハッチングが施されている。接合部１５１は、凹部１４１〜凹部１４９のそれぞれを区画する隔壁の−Ｙ軸方向側の端部に設けられている。
【００８０】
シート部材１３８は、凹部１４１〜凹部１４９を覆う大きさ及び形状を有している。シート部材１３８は、接合部１５１に接合されている。本実施形態では、溶着によってケース１３７とシート部材１３８とが接合されている。ケース１３７にシート部材１３８が接合されると、凹部１４１〜凹部１４９のそれぞれがシート部材１３８によって塞がれる。凹部１４１とシート部材１３８とによって囲まれる空間が、インク収容部２９として構成される。前述したように、タンク１０では、インク収容部２９にインクが収容される。このインク収容部２９に収容されるインクの液面上方に配置され、シート部材１３８によって塞がれた凹部１４１〜凹部１４９は、インク収容部２９と区画された空気収容部である空気収容室２４として構成される。タンク１０では、空気収容室（空気収容部）２４に空気が収容される。
【００８１】
また、タンク１０は、図１１に示すように、防水通気フィルム１５２と、シート部材１５３と、を有している。防水通気フィルム１５２は、液体に対する防水性が高く、すなわち液体の浸透性が低く、通気性が高い材料で構成されており、フィルム状に形成されている。防水通気フィルム１５２は、防水通気部材の一例である。シート部材１５３は、合成樹脂（例えば、ナイロンや、ポリプロピレン等）によりフィルム状に形成され、可撓性を有する。なお、タンク１０では、シート部材１５３のうちＹ軸方向に向いている面が、タンク１０の面１１５（図８）に相当している。
【００８２】
図１１に示すように、ケース１３７には、凹部１５４と、凹部１５５と、凹部１５６と、凹部１５７と、凹部１５８と、が形成されている。ケース１３７において、凹部１５４〜凹部１５８は、−Ｙ軸方向に凹となる向きに形成されている。ケース１３７において、凹部１５４〜凹部１５８は、Ｙ軸方向に向かって開口している。凹部１５４は、凹部１５５の内側に形成されている。凹部１５４〜凹部１５８のうち凹部１５５〜凹部１５８は、区画壁１６１によって相互に仕切られている。凹部１５４は、区画壁１６２によって凹部１５５から仕切られている。
【００８３】
区画壁１６１及び区画壁１６２は、面１１４に土手状に設けられている。区画壁１６１及び区画壁１６２は、面１１４からＹ軸方向に突出している。タンク１０では、面１１４からＹ軸方向に突出する土手状の区画壁１６１によって凹部１５５〜凹部１５８が形成されている。また、タンク１０では、面１１４からＹ軸方向に突出する土手状の区画壁１６２によって凹部１５４が形成されている。つまり、凹部１５５〜凹部１５８は、面１１４を底面として、底面を区画壁１６１で囲んだ構成を有している。また、凹部１５４は、面１１４を底面として、底面を区画壁１６２で囲んだ構成を有している。なお、区画壁１６１は、区画壁１６２によりもＹ軸方向に突出している。このため、凹部１５４は、凹部１５５内に納まっている。
【００８４】
区画壁１６１及び区画壁１６２のＹ軸方向側の端部は、接合部１６３として設定されている。防水通気フィルム１５２は、凹部１５４及び区画壁１６２を覆う大きさ及び形状を有している。防水通気フィルム１５２は、区画壁１６２の接合部１６３に接合されている。これにより、凹部１５４は、防水通気フィルム１５２によって塞がれる。シート部材１５３は、凹部１５５〜凹部１５８及び区画壁１６１を覆う大きさ及び形状を有している。シート部材１５３は、区画壁１６１の接合部１６３に接合される。これにより、凹部１５５〜凹部１５８は、シート部材１５３によって塞がれる。なお、本実施形態では、防水通気フィルム１５２及びシート部材１５３は、それぞれ、溶着によって接合部１６３に接合されている。また、防水通気フィルムによって塞がれた凹部１５４、および、シート部材１５３によって塞がれた凹部１５５〜凹部１５８は、後述するように、連通孔２１１などの連通孔により、凹部１４２〜凹部１４９（図１０参照）の何れを介して互いに連通されているので、空気収容部である空気収容室２４の一部としての機能を有する。
【００８５】
ケース１３７は、図１２に示すように、隔壁１７１と、隔壁１７２と、隔壁１７３と、隔壁１７４と、隔壁１７５と、隔壁１７６と、を有している。隔壁１７１〜隔壁１７６は、凹部１４１を区画している。また、ケース１３７は、隔壁１７７と、隔壁１７８と、隔壁１７９と、隔壁１８０と、隔壁１８１と、隔壁１８２と、隔壁１８３と、隔壁１８４と、隔壁１８５と、隔壁１８６と、隔壁１８７と、隔壁１８８と、隔壁１８９と、を有している。
【００８６】
ここで、前述したように、凹部１４１とシート部材１３８とによって囲まれる空間が、インク収容部２９として構成される。凹部１４１は、隔壁１７１〜隔壁１７６によって区画されている。そして、隔壁１７１〜隔壁１７６によって区画された凹部１４１をシート部材１３８で塞ぐことによって、インク収容部２９が構成される。このため、隔壁１７１〜隔壁１７６、及びシート部材１３８は、第１室の一例であるインク収容部２９を区画する壁であると定義され得る。インク収容部２９は、隔壁１７１〜隔壁１７６、及びシート部材１３８の複数の壁によって囲まれている。隔壁１７１〜隔壁１７６、及びシート部材１３８の複数の壁のうち、隔壁１７１が第１壁に対応する。また、フィルムの一例であるシート部材１３８が第１壁に対向する壁に相当する。また、隔壁１７１〜隔壁１７６、及びシート部材１３８の複数の壁のうち、隔壁１７２が視認壁に対応する。また、隔壁１７６のうち凹部１４１側の面が天面に対応する。
【００８７】
隔壁１７１と、隔壁１７６〜隔壁１７９とが、凹部１４２を区画している。隔壁１７１と、隔壁１７６と、隔壁１７７と、隔壁１７９と、隔壁１８０とが、凹部１４３を区画している。隔壁１７１と、隔壁１７７と、隔壁１８１と、隔壁１８２と、隔壁１８３とが、凹部１４４を区画している。隔壁１７１と、隔壁１８１と、隔壁１８５と、隔壁１８７と、隔壁１８８とが、凹部１４５を区画している。隔壁１７１と、隔壁１８５と、隔壁１８６と、隔壁１８７と、隔壁１８８とが、凹部１４６を区画している。隔壁１７１と、隔壁１８１と、隔壁１８４と、隔壁１８６と、隔壁１８７と、隔壁１８８と、隔壁１８９とが、凹部１４７を区画している。
【００８８】
隔壁１７１は、ＸＺ平面に沿って延伸している。隔壁１７１のＹ軸方向側の面は、図８に示す面１１３及び面１１４に相当する。図１２に示すように、隔壁１７２〜隔壁１７６は、隔壁１７１に交差している。隔壁１７２〜隔壁１７６は、隔壁１７１から−Ｙ軸方向に突出している。
【００８９】
隔壁１７２は、隔壁１７１のＸ軸方向側の端部に位置しており、ＹＺ平面に沿って延伸している。隔壁１７２の凹部１４１側と反対側の面、すなわち隔壁１７２のＸ軸方向側の面は、図１２に示す面１０１に相当する。前述したように、面１０１は、視認面４６に設定されている。このため、隔壁１７２を介して凹部１４１内のインクを視認することができる。隔壁１７２は、視認壁の一例である。図１２に示すように、隔壁１７３は、凹部１４１を挟んで隔壁１７２に対峙する位置に設けられている。隔壁１７３は、ＹＺ平面に沿って延伸している。隔壁１７３の凹部１４１側と反対側の面、すなわち隔壁１７３の−Ｘ軸方向側の面は、図８に示す面１０９に相当する。
【００９０】
図１２に示すように、隔壁１７４は、隔壁１７１の−Ｚ軸方向側の端部に位置している。隔壁１７４の凹部１４１側と反対側の面、すなわち隔壁１７４の−Ｚ軸方向側の面は、図８に示す面１０８に相当する。隔壁１７４は、ＸＺ平面に対して傾斜している。また、隔壁１７４は、ＸＹ平面及びＹＺ平面の双方に対しても傾斜している。
【００９１】
図１２に示すように、隔壁１７５は、凹部１４１を挟んで隔壁１７４の反対側の位置に設けられている。隔壁１７６も、凹部１４１を挟んで隔壁１７４の反対側の位置に設けられている。隔壁１７５は、隔壁１７６のＸ軸方向の位置に位置している。隔壁１７５は、ＸＹ平面及びＹＺ平面の双方に対して傾斜している。隔壁１７５は、ＸＺ平面に直交している。隔壁１７６は、ＸＹ平面に沿って延伸している。隔壁１７５の凹部１４１側と反対側の面、すなわち隔壁１７５のＺ軸方向側の面は、図７に示す面１０２に相当する。
【００９２】
面１０２には、前述した注入部４５が設けられている。つまり、注入部４５は、隔壁１７５に設けられている。注入部４５の筒部４５Ａは、隔壁１７５のうち面１０２に設けられており、面１０２から凹部１４１側とは反対側に向かって突出している。筒部４５Ａの面１０２側とは反対側の上端にインク導入口４５Ｂが開口している。他方で、隔壁１７５のうち面１０２とは反対面、すなわち隔壁１７５の凹部１４１側の面と筒部４５Ａとが交差する交差部にインク注入口４５Ｃが開口している。インク注入口４５Ｃは、注入部４５のうち隔壁１７５において凹部１４１側に向かって開口する開口部である。インク導入口４５Ｂから注入されたインクは、筒部４５Ａを介してインク注入口４５Ｃから凹部１４１（インク収容部２９）に流入する。インク注入口４５Ｃは、液体注入口に相当する。
【００９３】
隔壁１７２は、Ｚ軸方向の端部において隔壁１７５に交差している。また、隔壁１７２は、−Ｚ軸方向の端部において、隔壁１７４に交差している。隔壁１７３は、Ｚ軸方向の端部において隔壁１７６に交差している。また、隔壁１７３は、−Ｚ軸方向の端部において、隔壁１７４に交差している。隔壁１７５は、−Ｘ軸方向の端部において隔壁１７６に交差している。上記の構成により、隔壁１７２〜隔壁１７６は、隔壁１７１の一部を囲んでいる。これにより、隔壁１７１を底部とする凹部１４１が構成されている。
【００９４】
凹部１４２を区画する隔壁１７７は、凹部１４２を挟んで隔壁１７６の反対側の位置、すなわち隔壁１７６よりもＺ軸方向の位置に設けられている。隔壁１７７は、ＸＹ平面に沿って延伸している。隔壁１７８は、凹部１４２のＸ軸方向の位置に位置しており、ＹＺ平面に沿って延伸している。隔壁１７８の凹部１４２側と反対側の面、すなわち隔壁１７８のＸ軸方向側の面は、図７に示す面１０３に相当する。図１２に示すように、隔壁１７９は、凹部１４２を挟んで隔壁１７８の反対側の位置、すなわち隔壁１７８よりも−Ｘ軸方向の位置に設けられている。隔壁１７９は、ＹＺ平面に沿って延伸している。
【００９５】
隔壁１７８は、−Ｚ軸方向の端部において隔壁１７６に交差している。また、隔壁１７８は、Ｚ軸方向の端部において、隔壁１７７に交差している。隔壁１７９は、−Ｚ軸方向の端部において隔壁１７６に交差している。また、隔壁１７８は、Ｚ軸方向の端部において、隔壁１７７に交差している。上記の構成により、隔壁１７６〜隔壁１７９は、隔壁１７１の一部を囲んでいる。これにより、隔壁１７１を底部とする凹部１４２が構成されている。凹部１４２は、凹部１４１のＺ軸方向側に位置している。
【００９６】
凹部１４３を区画する隔壁１８０は、凹部１４３を挟んで隔壁１７９の反対側の位置、すなわち隔壁１７９よりも−Ｘ軸方向の位置に設けられている。隔壁１８０は、ＹＺ平面に沿って延伸している。隔壁１８０の凹部１４３側と反対側の面、すなわち隔壁１８０の−Ｘ軸方向側の面は、図８に示す面１１１に相当する。図１２に示すように、隔壁１７６及び隔壁１７７は、隔壁１７９よりもＸ軸方向の位置から隔壁１７９を−Ｘ軸方向にまたいで隔壁１８０に達している。隔壁１８０は、−Ｚ軸方向の端部において隔壁１７６に交差している。また、隔壁１８０は、Ｚ軸方向の端部において、隔壁１７７に交差している。
【００９７】
上記の構成により、隔壁１７６、隔壁１７７、隔壁１７９、及び隔壁１８０は、隔壁１７１の一部を囲んでいる。これにより、隔壁１７１を底部とする凹部１４３が構成されている。凹部１４３は、隔壁１７９を挟んで凹部１４２の−Ｘ軸方向側に位置している。つまり、凹部１４２と凹部１４３とは、隔壁１７９を共有している。凹部１４２と凹部１４３とは、隔壁１７６及び隔壁１７７も共有している。凹部１４３は、凹部１４１よりもＺ軸方向側に位置している。
【００９８】
凹部１４４を区画する隔壁１８１は、凹部１４４を挟んで隔壁１７７の反対側の位置、すなわち隔壁１７７よりもＺ軸方向の位置に設けられている。隔壁１８１は、ＸＹ平面に沿って延伸している。隔壁１８２は、凹部１４４のＸ軸方向の位置に位置している。隔壁１８２は、ＸＹ平面及びＹＺ平面の双方に対して傾斜している。隔壁１８２は、ＸＺ平面に直交している。隔壁１８２の凹部１４４側と反対側の面、すなわち隔壁１８２のＸ軸方向側の面は、図７に示す面１０４に相当する。図１２に示すように、隔壁１８３は、凹部１４４の−Ｘ軸方向の位置に位置している。隔壁１８３は、ＹＺ平面に沿って延伸している。
【００９９】
上記の構成により、隔壁１７７、隔壁１８１、隔壁１８２、及び隔壁１８３は、隔壁１７１の一部を囲んでいる。これにより、隔壁１７１を底部とする凹部１４４が構成されている。凹部１４４は、隔壁１７７を挟んで凹部１４２及び凹部１４３のＺ軸方向側に位置している。つまり、凹部１４２と凹部１４３と凹部１４４とは、隔壁１７７を共有している。
【０１００】
凹部１４５を区画する隔壁１８５は、凹部１４５を挟んで隔壁１８１の反対側の位置、すなわち隔壁１８１よりもＺ軸方向の位置に設けられている。隔壁１８５は、ＸＹ平面に沿って延伸している。隔壁１８８は、凹部１４５のＸ軸方向の位置に位置しており、ＹＺ平面に沿って延伸している。隔壁１８８は、隔壁１８１から隔壁１８５をＺ軸方向に超えて延伸している。隔壁１８８の凹部１４５側と反対側の面、すなわち隔壁１８８のＸ軸方向側の面は、図７に示す面１０５に相当する。図１２に示すように、隔壁１８７は、凹部１４５を挟んで隔壁１８８の反対側の位置、すなわち隔壁１８８よりも−Ｘ軸方向の位置に設けられている。隔壁１８７は、ＹＺ平面に沿って延伸している。隔壁１８７は、隔壁１８１から隔壁１８５をＺ軸方向に超えて延伸している。
【０１０１】
隔壁１８５は、Ｘ軸方向の端部において隔壁１８８に交差している。また、隔壁１８５は、−Ｘ軸方向の端部において、隔壁１８７に交差している。隔壁１８７は、−Ｚ軸方向の端部において隔壁１８１に交差している。また、隔壁１８１は、Ｘ軸方向の端部において、隔壁１８８に交差している。上記の構成により、隔壁１８１、隔壁１８５、隔壁１８７、及び隔壁１８８は、隔壁１７１の一部を囲んでいる。これにより、隔壁１７１を底部とする凹部１４５が構成されている。凹部１４５は、凹部１４４のＺ軸方向側に位置している。
【０１０２】
凹部１４６を区画する隔壁１８６は、凹部１４６を挟んで隔壁１８５の反対側の位置、すなわち隔壁１８５よりもＺ軸方向の位置に設けられている。隔壁１８６は、ＸＹ平面に沿って延伸している。隔壁１８７は、隔壁１８１から隔壁１８５をＺ軸方向に超えて隔壁１８６に到達している。隔壁１８６は、Ｘ軸方向の端部において隔壁１８８に交差している。また、隔壁１８６は、−Ｘ軸方向の端部において、隔壁１８７に交差している。上記の構成により、隔壁１８５、隔壁１８６、隔壁１８７、及び隔壁１８８は、隔壁１７１の一部を囲んでいる。これにより、隔壁１７１を底部とする凹部１４６が構成されている。凹部１４６は、隔壁１８５を挟んで凹部１４５のＺ軸方向側に位置している。つまり、凹部１４５と凹部１４６とは、隔壁１８５を共有している。凹部１４５と凹部１４６とは、隔壁１８８及び隔壁１８７も共有している。
【０１０３】
凹部１４７を区画する隔壁１８９は、凹部１４７を挟んで隔壁１８１の反対側の位置、すなわち隔壁１８１よりもＺ軸方向の位置に設けられている。隔壁１８９は、凹部１４５及び凹部１４６よりもＺ軸方向に位置している。つまり、隔壁１８９は、隔壁１８６よりもＺ軸方向に位置している。隔壁１８９は、ＸＹ平面に沿って延伸している。隔壁１８９の凹部１４７側と反対側の面、すなわち隔壁１８９のＺ軸方向側の面は、図７に示す面１０６に相当する。図１２に示すように、隔壁１８４は、凹部１４７の−Ｘ軸方向の位置に位置しており、ＹＺ平面に沿って延伸している。隔壁１８４の凹部１４７側と反対側の面、すなわち隔壁１８４の−Ｘ軸方向側の面は、図８に示す面１１２に相当する。
【０１０４】
隔壁１８４は、−Ｚ軸方向の端部において隔壁１８１に交差している。また、隔壁１８４は、Ｚ軸方向の端部において、隔壁１８９に交差している。隔壁１８９は、Ｘ軸方向の端部において隔壁１８８に交差している。上記の構成により、隔壁１８１、隔壁１８７、隔壁１８６、隔壁１８８、隔壁１８９、及び隔壁１８４は、隔壁１７１の一部を囲んでいる。これにより、隔壁１７１を底部とする凹部１４７が構成されている。凹部１４７は、凹部１４４のＺ軸方向側に位置している。なお、凹部１４５及び凹部１４６は、図１２に示すように、隔壁１８１、隔壁１８８、隔壁１８９、及び隔壁１８４によって囲まれている。このため、凹部１４５及び凹部１４６は、凹部１４７内に位置しているともみなされ得る。
【０１０５】
凹部１４８及び凹部１４９は、張り出し部１２７に設けられている。凹部１４８及び凹部１４９は、図１２に示すように、ケース１３７をＹ軸方向に見たときに、凹部１４１〜凹部１４７の外側に位置している。凹部１４８及び凹部１４９は、張り出し部１２７において溝状に設けられている。
【０１０６】
凹部１４８は、隔壁１８０と隔壁１７６とによって凹部１４３から仕切られている。また、凹部１４８は、隔壁１７３によって凹部１４１から仕切られている。凹部１４８は、隔壁１７７に交差する部位において、凹部１４４につながっている。つまり、凹部１４８は、隔壁１７７に交差する部分において凹部１４４の内側に向かって開口する接続部２０１で凹部１４４につながっている。
【０１０７】
凹部１４８は、接続部２０１から隔壁１８０に沿って−Ｚ軸方向に延在し、隔壁１８０と隔壁１７６とが交差する部分で転回して、隔壁１７６に沿ってＸ軸方向に延在している。接続部２０１は、隔壁１７３に到達する前に転回して−Ｚ軸方向に延在し、さらにＺ軸方向に転回して隔壁１７３に沿ってＺ軸方向に延在している。そして、凹部１４８は、隔壁１７６に交差して凹部１４３につながっている。つまり、凹部１４８は、隔壁１７６に交差する部分において凹部１４３の内側に向かって開口する接続部２０２で凹部１４３につながっている。
【０１０８】
凹部１４８は、接続部２０１において凹部１４４に接続し、接続部２０２において凹部１４３に接続している。よって、凹部１４４と凹部１４３とは、凹部１４８を介してつながっている。
【０１０９】
凹部１４９は、図１２に示すように、ケース１３７をＹ軸方向に見たときに、凹部１４７の外側に位置している。凹部１４９は、隔壁１８４、隔壁１８９、及び隔壁１８８によって凹部１４７から仕切られている。また、凹部１４９は、隔壁１８８によって凹部１４５及び凹部１４６から仕切られている。
【０１１０】
凹部１４９は、隔壁１８４と隔壁１８１とが交差する部分において、凹部１４７につながっている。凹部１４９は、隔壁１８４のうち隔壁１８１に交差する部分において凹部１４７の内側に向かって開口する接続部２０３で凹部１４７につながっている。凹部１４９は、接続部２０３から隔壁１８４に沿ってＺ軸方向に延在し、隔壁１８４と隔壁１８９とが交差する部分で転回して、隔壁１８９に沿ってＸ軸方向に延在している。
【０１１１】
そして、凹部１４９は、隔壁１８９と隔壁１８８とが交差する部分で転回して、隔壁１８８に沿って−Ｚ軸方向に延在し、隔壁１８８と隔壁１７７とが交差する部分において凹部１４４につながっている。つまり、凹部１４９は、隔壁１８８のうち隔壁１７７に交差する部分において凹部１４４の内側に向かって開口する接続部２０４で凹部１４４につながっている。凹部１４９は、接続部２０３において凹部１４７に接続し、接続部２０４において凹部１４４に接続している。よって、凹部１４４と凹部１４７とは、凹部１４９を介してつながっている。
【０１１２】
上記の構成により、凹部１４７と凹部１４３とは、凹部１４９と、凹部１４４と、凹部１４８と、を介してつながっている。また、凹部１４５と凹部１４６とは、隔壁１８５に形成された切欠き部２０５を介してつながっている。
【０１１３】
なお、前述した図１１に示す凹部１５４、凹部１５５、及び凹部１５６は、図１２に示す隔壁１７１のうち凹部１４５、凹部１４６、及び凹部１４７の反対側の領域に設けられている。つまり、図１１に示す凹部１５４、凹部１５５、及び凹部１５６は、図１２に示す隔壁１７１を挟んで凹部１４５、凹部１４６、及び凹部１４７に重なる領域に設けられている。
【０１１４】
ここで、図１２に示すように、隔壁１７１には、連通孔２１１と、連通孔２１２と、連通孔２１３と、連通孔２１４と、連通孔２１５と、連通孔２１６、連通孔２１７とが設けられている。連通孔２１１は、凹部１４６内に設けられている。連通孔２１２は、凹部１４５内に設けられている。連通孔２１３は、凹部１４７内に設けられている。連通孔２１４は、凹部１４３内に設けられている。連通孔２１５及び連通孔２１６は、凹部１４２内に設けられている。連通孔２１７は、凹部１４１内に設けられている。連通孔２１１〜連通孔２１７は、隔壁１７１を貫通している。
【０１１５】
凹部１４６内の連通孔２１１は、図１３に示すように、隔壁１７１を貫通して凹部１５４内に通じている。ここで、隔壁１８９には、大気開放口１２３に通じる連通口２１８が形成されている。連通口２１８は、隔壁１８９のうち大気開放部１２２が交差する交差部分に開口する開口部である。連通口２１８は、凹部１５５内に向かって開口している。なお、隔壁１８９は、凹部１５５と図１２に示す凹部１４７とによって共有されている。凹部１４７と凹部１５５とは、凹部１４７内に突出した隔壁２１９によって仕切られている。なお、凹部１５５は、図１１に示すように、防水通気フィルム１５２を介して凹部１５４に通じている。
【０１１６】
凹部１５４は、連通孔２１１を介して図１２に示す凹部１４６に通じている。凹部１４５内の連通孔２１２は、図１３に示すように、凹部１５６に通じている。凹部１５６内には、連通孔２１３も通じている。つまり、連通孔２１２は、凹部１５６及び連通孔２１３を介して、図１２に示す凹部１４７に通じている。凹部１４３内の連通孔２１４は、図１３に示すように、凹部１５８に通じている。
【０１１７】
凹部１５８内には、連通孔２１５も通じている。つまり、連通孔２１４は、凹部１５８及び連通孔２１５を介して、図１２に示す凹部１４２に通じている。凹部１４２内には、連通孔２１６も通じている。連通孔２１６は、図１３に示すように、凹部１５７に通じている。そして、凹部１５７は、連通孔２１７を介して、図１２に示す凹部１４１に通じている。
【０１１８】
凹部１４１の−Ｘ軸方向側、且つ凹部１４８の−Ｚ軸方向側には、凹部２２１が設けられている。凹部２２１は、隔壁１７３のうち隔壁１７４に交差する部分において凹部１４１につながっている。凹部２２１には、連通口２２２が形成されている。連通口２２２は、図８に示すインク供給部１２８を介してインク供給口１２９に通じている。
【０１１９】
上記の構成を有するケース１３７にシート部材１３８が接合されると、図１４に示すように、凹部１４１がインク収容部２９として構成される。また、凹部１４２がバッファー室２３１として構成され、凹部１４３がバッファー室２３２として構成され、凹部１４４がバッファー室２３３として構成され、凹部１４５がバッファー室２３４として構成され、凹部１４６がバッファー室２３５として構成され、凹部１４７がバッファー室２３６として構成される。
【０１２０】
また、凹部１４８が連通路２４１として構成され、凹部１４９が連通路２４２として構成され、切欠き部２０５が連通路２４３として構成される。バッファー室２３１〜バッファー室２３６、及び連通路２４１〜連通路２４３は、大気連通路２４５の一部を構成する。なお、図１４では、構成をわかりやすく示すため、ケース１３７をシート部材１３８ごしに透過して見た図が示されている。また、接合部１５１にハッチングが施されている。
【０１２１】
ここで、インク収容部２９内には、図１４に示すように、支持部２４６が設けられている。支持部２４６は、隔壁１７１に設けられている。支持部２４６は、隔壁１７１から−Ｙ軸方向に突出している。支持部２４６は、隔壁１７２、隔壁１７３、隔壁１７４、隔壁１７５、及び隔壁１７６のそれぞれから離間している。支持部２４６は、ＹＺ平面に沿って延伸する板状の外観を有している。支持部２４６の隔壁１７１からの突出量は、隔壁１７２〜隔壁１７６の隔壁１７１からの突出量と同等に設定されている。そして、支持部２４６において、隔壁１７１側とは反対側、すなわち−Ｙ軸方向の端部に接合部１５１が設けられている。つまり、タンク１０では、シート部材１３８が、支持部２４６の接合部１５１にも接合される。この構成によれば、シート部材１３８の変形を、支持部２４６で規制することができる。
【０１２２】
ケース１３７に防水通気フィルム１５２（図１１）と、シート部材１５３とが接合されると、図１５に示すように、隔壁１７１のＹ軸方向側、すなわちタンク１０の前面１３５に、大気連通路２４５の一部が構成される。タンク１０の前面１３５に構成される大気連通路２４５の一部は、凹部１５５、凹部１５６、凹部１５７、及び凹部１５８と、シート部材１５３とによって囲まれる領域である。また、タンク１０の前面１３５に構成される大気連通路２４５の一部には、凹部１５４（図１１）と防水通気フィルム１５２とによって囲まれる領域も含まれる。また、大気連通路２４５には、大気開放部１２２も含まれる。
【０１２３】
上記により、タンク１０では、大気開放口１２３から、図１４に示すインク収容部２９内の連通孔２１７に至る大気連通路２４５が構成される。大気連通路２４５は、大気開放口１２３と連通孔２１７との間を連通させる。これにより、タンク１０は、大気連通路２４５からインク収容部２９内に大気を導入可能に構成されている。つまり、大気連通路２４５は、インク収容部２９に通じている。よって、タンク１０では、大気開放口１２３からインク収容部２９を経由して、インク供給口１２９（図８）につながる流路が構成されている。この流路の一部に大気連通路２４５が含まれている。
【０１２４】
ケース１３７に防水通気フィルム１５２及びシート部材１５３が接合されると、図１５に示すように、凹部１５５とシート部材１５３とによって囲まれる領域がバッファー室２５１として構成される。また、凹部１５４と防水通気フィルム１５２とによって囲まれる領域がバッファー室２５２として構成される。また、凹部１５６とシート部材１５３とによって囲まれる領域が連通路２５３として構成され、凹部１５７とシート部材１５３とによって囲まれる領域が連通路２５４として構成され、凹部１５８とシート部材１５３とによって囲まれる領域が連通路２５５として構成される。上記により、大気連通路２４５には、大気開放部１２２、バッファー室２５１、連通路２５３〜連通路２５５が含まれる。
【０１２５】
連通路２５３は、バッファー室２５１の−Ｚ軸方向に位置しており、Ｘ軸に沿って延在している。連通路２５３は、連通孔２１２と連通孔２１３との間を連通させている。連通路２５５は、連通路２５３よりも−Ｚ軸方向に位置しており、連通孔２１４と連通孔２１５との間を連通させている。連通孔２１４及び連通孔２１５は、連通路２５３よりも−Ｚ軸方向に位置している。連通孔２１４は、連通孔２１５よりも−Ｘ軸方向に位置している。連通路２５５は、連通孔２１４からＺ軸方向に延び、連通路２５３の−Ｚ軸方向の位置で転回してＸ軸方向に延びる。そして、連通路２５５は、連通孔２１２の−Ｘ軸方向の位置で転回して−Ｚ軸方向に延び、連通孔２１５に至る。
【０１２６】
連通路２５４は、連通路２５３よりも−Ｚ軸方向に位置しており、連通孔２１６と連通孔２１７との間を連通させている。連通孔２１６及び連通孔２１７は、連通路２５３よりも−Ｚ軸方向に位置している。連通孔２１６及び連通孔２１７は、連通孔２１５よりも−Ｘ軸方向に位置し、且つ連通孔２１４よりもＸ軸方向に位置している。連通路２５４は、連通孔２１６から蛇行しながらＺ軸方向に延びている。そして、連通路２５４は、連通路２５３の−Ｚ軸方向の位置で転回して−Ｚ軸方向に延び、連通孔２１７に至る。図１５に示すように、連通路２５５は、連通路２５４の外側を周っている。タンク１０では、連通路２５４の蛇行によって、インク収容部２９（図１４）内のインクの液体成分が蒸発することを低く抑えやすくすることができる。
【０１２７】
大気開放口１２３からインク供給口１２９に至る流路について、模式図を参照しながら説明する。ここでは、理解を容易にするために、大気開放口１２３からインク供給口１２９に至る流路を模式的に説明する。なお、大気開放口１２３からインク供給口１２９に向かう向きを、流体が流れる向きとする。そして、この向きが「上流」、「下流」の基準とされる。つまり、インク供給口１２９に対して大気開放口１２３側が上流側であり、大気開放口１２３に対してインク供給口１２９側が下流側である。大気開放口１２３からインク供給口１２９に至る流路２６０は、図１６に示すように、大気連通路２４５と、インク収容部２９と、インク供給部１２８と、を含む。
【０１２８】
バッファー室２５１は、大気開放部１２２の下流側に設けられている。なお、大気開放部１２２のうちバッファー室２５１側の開口が、連通口２１８である。バッファー室２５１は、ケース１３７の凹部１５５とシート部材１５３とによって囲まれる領域である。バッファー室２５２は、バッファー室２５１の下流側に設けられている。バッファー室２５２は、凹部１５４と防水通気フィルム１５２とによって囲まれる領域である。バッファー室２５２は、バッファー室２５１内に位置している。大気は、バッファー室２５１とバッファー室２５２との間を、防水通気フィルム１５２を介して移動可能である。
【０１２９】
バッファー室２３５は、バッファー室２５２の下流側に設けられている。バッファー室２３５は、ケース１３７の凹部１４６とシート部材１３８とによって囲まれる領域である。バッファー室２５２とバッファー室２３５とは、ケース１３７の隔壁１７１を貫通する連通孔２１１を介して通じている。なお、連通孔２１１のうちバッファー室２５２側の開口は、連通口２６１と表記される。連通口２６１は、バッファー室２５２と連通孔２１１との接続口に相当する。また、連通孔２１１のうちバッファー室２３５側の開口は、連通口２６２と表記される。連通口２６２は、バッファー室２３５と連通孔２１１との接続口に相当する。
【０１３０】
バッファー室２３４は、バッファー室２３５の下流側に設けられている。バッファー室２３４は、ケース１３７の凹部１４５とシート部材１３８とによって囲まれる領域である。バッファー室２３５とバッファー室２３４とは、ケース１３７の連通路２４３を介して通じている。連通路２４３は、隔壁１８５（図１２）に形成された切欠き部２０５とシート部材１３８とによって囲まれる領域である。連通路２４３のうちバッファー室２３５側の開口は、連通口２６３と表記される。連通口２６３は、バッファー室２３５と連通路２４３との接続口に相当する。また、連通路２４３のうちバッファー室２３４側の開口は、連通口２６４と表記される。連通口２６４は、バッファー室２３４と連通路２４３との接続口に相当する。
【０１３１】
連通路２５３は、バッファー室２３４の下流側に設けられている。連通路２５３は、ケース１３７の凹部１５６とシート部材１５３とによって囲まれる領域である。バッファー室２３４と連通路２５３とは、ケース１３７の隔壁１７１を貫通する連通孔２１２を介して通じている。連通孔２１２のうちバッファー室２３４側の開口は、連通口２６５と表記される。連通口２６５は、バッファー室２３４と連通孔２１２との接続口に相当する。また、連通孔２１２のうち連通路２５３側の開口は、連通口２６６と表記される。連通口２６６は、連通路２５３と連通孔２１２との接続口に相当する。
【０１３２】
バッファー室２３６は、連通路２５３の下流側に設けられている。バッファー室２３６は、ケース１３７の凹部１４７とシート部材１３８とによって囲まれる領域である。連通路２５３とバッファー室２３６とは、ケース１３７の隔壁１７１を貫通する連通孔２１３を介して通じている。連通孔２１３のうち連通路２５３側の開口は、連通口２６７と表記される。連通口２６７は、連通路２５３と連通孔２１３との接続口に相当する。また、連通孔２１３のうちバッファー室２３６側の開口は、連通口２６８と表記される。連通口２６８は、バッファー室２３６と連通孔２１３との接続口に相当する。
【０１３３】
バッファー室２３３は、バッファー室２３６の下流側に設けられている。バッファー室２３３は、ケース１３７の凹部１４４とシート部材１３８とによって囲まれる領域である。バッファー室２３６とバッファー室２３３とは、ケース１３７の連通路２４２を介して通じている。連通路２４２は、ケース１３７の凹部１４９（図１２）とシート部材１３８とによって囲まれる領域である。連通路２４２のうちバッファー室２３６側の開口は、接続部２０３である。また、連通路２４２のうちバッファー室２３３側の開口は、接続部２０４である。
【０１３４】
バッファー室２３２は、バッファー室２３３の下流側に設けられている。バッファー室２３２は、ケース１３７の凹部１４３とシート部材１３８とによって囲まれる領域である。バッファー室２３３とバッファー室２３２とは、ケース１３７の連通路２４１を介して通じている。連通路２４１は、ケース１３７の凹部１４８（図１２）とシート部材１３８とによって囲まれる領域である。連通路２４１のうちバッファー室２３３側の開口は、接続部２０１である。また、連通路２４１のうちバッファー室２３２側の開口は、接続部２０２である。
【０１３５】
連通路２５５は、バッファー室２３２の下流側に設けられている。連通路２５５は、ケース１３７の凹部１５８とシート部材１５３とによって囲まれる領域である。バッファー室２３２と連通路２５５とは、ケース１３７の隔壁１７１を貫通する連通孔２１４を介して通じている。連通孔２１４のうちバッファー室２３２側の開口は、連通口２６９と表記される。連通口２６９は、バッファー室２３２と連通孔２１４との接続口に相当する。また、連通孔２１４のうち連通路２５５側の開口は、連通口２７０と表記される。連通口２７０は、連通路２５５と連通孔２１４との接続口に相当する。
【０１３６】
バッファー室２３１は、連通路２５５の下流側に設けられている。バッファー室２３１は、ケース１３７の凹部１４２とシート部材１３８とによって囲まれる領域である。連通路２５５とバッファー室２３１とは、ケース１３７の隔壁１７１を貫通する連通孔２１５を介して通じている。連通孔２１５のうち連通路２５５側の開口は、連通口２７１と表記される。連通口２７１は、連通路２５５と連通孔２１５との接続口に相当する。また、連通孔２１５のうちバッファー室２３１側の開口は、連通口２７２と表記される。連通口２７２は、バッファー室２３１と連通孔２１５との接続口に相当する。
【０１３７】
連通路２５４は、バッファー室２３１の下流側に設けられている。連通路２５４は、ケース１３７の凹部１５７（図１３）とシート部材１５３とによって囲まれる領域である。バッファー室２３１と連通路２５４とは、隔壁１７１を貫通する連通孔２１６を介して通じている。連通孔２１６のうちバッファー室２３１側の開口は、連通口２７３と表記される。連通口２７３は、バッファー室２３１と連通孔２１６との接続口に相当する。また、連通孔２１６のうち連通路２５４側の開口は、連通口２７４と表記される。連通口２７４は、連通路２５４と連通孔２１６との接続口に相当する。
【０１３８】
インク収容部２９は、連通路２５４の下流側に設けられている。インク収容部２９は、ケース１３７の凹部１４１とシート部材１３８とによって囲まれる領域である。連通路２５４とインク収容部２９とは、隔壁１７１を貫通する連通孔２１７を介して通じている。連通孔２１７のうち連通路２５４側の開口は、連通口２７５と表記される。連通口２７５は、連通路２５４と連通孔２１７との接続口に相当する。また、連通孔２１７のうちインク収容部２９側の開口は、連通口２７６と表記される。連通口２７６は、インク収容部２９と連通孔２１７との接続口に相当する。なお、連通口２７６は、大気導入口に相当する。これにより、大気連通路２４５は、大気開放口１２３と連通口２７６との間を連通させている。
【０１３９】
そして、インク収容部２９の下流側に、インク供給部１２８が設けられている。インク供給部１２８のうちインク収容部２９側の開口は、連通口２２２である。連通口２２２は、インク収容部２９とインク供給部１２８との接続口に相当する。インク供給部１２８のうちインク収容部２９側とは反対側の開口が、インク供給口１２９である。タンク１０では、大気開放口１２３からインク供給口１２９までの流路２６０が、上記の構成を有している。
【０１４０】
インク収容部２９内のインクがインク供給口１２９を介して印刷部４２（図３）に供給されると、インク収容部２９内のインクの量が減少する。インク収容部２９内のインクの量が減少すると、インク収容部２９内の圧力が大気圧よりも低くなりやすい。本実施例では、インク収容部２９に、大気開放口１２３から連通孔２１７までの大気連通路２４５が連通している。このため、インク収容部２９内のインクの量が減少してインク収容部２９内の圧力が大気圧よりも低くなると、大気連通路２４５を介してインク収容部２９内に大気が導入され得る。この結果、インク収容部２９内の圧力が大気圧に維持されやすい。
【０１４１】
このとき、インク収容部２９内に導入される大気は、大気開放口１２３から大気開放部１２２を介してバッファー室２５１内に流入する。バッファー室２５１内に流入した大気は、防水通気フィルム１５２を通ってバッファー室２５２内に流入する。バッファー室２５２内に流入した大気は、連通口２６１から連通孔２１１の連通口２６２を通ってバッファー室２３５内に流入する。バッファー室２３５内に流入した大気は、連通口２６３から連通路２４３の連通口２６４を通ってバッファー室２３４内に流入する。
【０１４２】
バッファー室２３４内に流入した大気は、連通口２６５から連通孔２１２の連通口２６６を通って連通路２５３内に流入する。連通路２５３内に流入した大気は、連通口２６７から連通孔２１３の連通口２６８を通ってバッファー室２３６内に流入する。バッファー室２３６内に流入した大気は、接続部２０３から連通路２４２の接続部２０４を通ってバッファー室２３３内に流入する。バッファー室２３３内に流入した大気は、接続部２０１から連通路２４１の接続部２０２を通ってバッファー室２３２内に流入する。
【０１４３】
バッファー室２３２内に流入した大気は、連通口２６９から連通孔２１４の連通口２７０を通って連通路２５５内に流入する。連通路２５５内に流入した大気は、連通口２７１から連通孔２１５の連通口２７２を通ってバッファー室２３１内に流入する。バッファー室２３１内に流入した大気は、連通口２７３から連通孔２１６の連通口２７４を通って連通路２５４内に流入する。連通路２５４内に流入した大気は、連通口２７５から連通孔２１７の連通口２７６を通ってインク収容部２９内に流入する。
【０１４４】
タンク１０では、連通口２７６が、図１７に示すように、インク収容部２９内において隔壁１７１と他の壁とが交わる角部２８１から離間した位置に形成されている。インク収容部２９において隔壁１７１と交わる他の壁は、隔壁１７２〜隔壁１７６である。タンク１０では、連通口２７６が、これらの壁と隔壁１７１とが交わる角部２８１から離間した位置に形成されている。これにより、インク収容部２９内で隔壁１７１と他の壁とが交わる角部２８１を伝って移動するインクが連通口２７６に届きにくい。これにより、インク収容部２９内のインクが大気連通路２４５を介してタンク１０の外に漏れ出る可能性を低減することができる。
【０１４５】
ここで、インク収容部２９内においてケース１３７の隔壁１７２〜隔壁１７６とシート部材１３８とが交わる角部において毛細管現象が発現することがあるということが見出された。つまり、隔壁１７２〜隔壁１７６とシート部材１３８とが交わる角部に大気導入口が設けられているタンクでは、インク収容部２９に収容されたインクがケース１３７の壁とシート部材１３８との境界部分を伝って大気連通路２４５に進入することがある。このようなことが発生すると、インク収容部２９内のインクが大気連通路２４５を介してタンクの外に漏れ出ることが考えられる。なお、毛細管現象が発現する箇所は、ケース１３７の壁とシート部材１３８とが交わる角部に限定されない。シート部材１３８は、インク収容部２９を区画する１つの壁とみなされ得る。したがって、毛細管現象は、インク収容部２９を区画する壁のうちで互いに交差する２つの壁の交差部分（角部）に発現し得る。
【０１４６】
タンク１０では、連通口２７６が角部２８１から離間した位置に形成されているので、毛細管現象で角部２８１を伝い上がったインクが連通口２７６に到達することが低く抑えられる。これにより、インク収容部２９内のインクが大気連通路２４５を介してタンク１０の外に漏れ出る可能性を低減することができる。
【０１４７】
また、タンク１０では、連通口２７６が形成されている隔壁１７１に対向する壁がシート部材１３８で構成されている。このため、連通口２７６がシート部材１３８から離間するので、シート部材１３８を伝ったインクが連通口２７６に到達することを低く抑えることができる。一般的に、液体は、ケース１３７を構成する樹脂材料よりも、シート部材１３８の方が移動しやすい（滑りやすい）。液体が移動しやすいシート部材１３８から連通口２７６を離間させることができるので、インクが連通口２７６に一層届きにくい。なお、シート部材１３８は、フィルムに相当する。
【０１４８】
また、タンク１０では、大気連通路２４５に、バッファー室２３１、バッファー室２３２、バッファー室２３３、バッファー室２３４、バッファー室２３５、及びバッファー室２３６が含まれている。バッファー室２３１、バッファー室２３２、バッファー室２３３、バッファー室２３４、バッファー室２３５、及びバッファー室２３６は、インク収容部２９よりも上流側に位置している。この構成によれば、インク収容部２９から大気連通路２４５に流出したインクを、バッファー室２３１〜バッファー室２３６で留めやすい。これにより、インク収容部２９内のインクが大気連通路２４５を介してタンク１０の外に漏れ出る可能性を一層低減することができる。バッファー室２３１、バッファー室２３２、バッファー室２３３、バッファー室２３４、バッファー室２３５、及びバッファー室２３６が第２室に相当する。
【０１４９】
また、タンク１０では、円形を成す連通口２７６に接続する連通路２５４（図１５）の断面開口の幅が、連通口２７６の内側の直径と同一である。なお、同一は、完全な同一に限定されず、誤差や公差等により生じる不一致も含む。連通路２５４の断面開口の幅は、連通路２５４を流体が流れるときの流れの方向に直交する方向における内側の幅である。例えば、図１５で見て、連通路２５４のうち連通孔２１７からＺ軸方向に延びる領域においては、Ｘ軸方向に沿った内側の幅に相当する。連通口２７６の内側の直径が連通路２５４の断面開口の幅と同一であるので、インク収容部２９内のインクが連通口２７６から連通路２５４に進入したときに、連通路２５４に進入したインクがインク収容部２９に戻りやすい。なお、連通路２５４が連通流路に相当する。
【０１５０】
また、タンク１０において、インク供給口１２９が、図１１に示すように、隔壁１７１よりも−Ｙ軸方向の位置に、すなわち隔壁１７１と対向する側に位置している。これにより、インク収容部２９内のインクが連通口２７６と対向する側に位置するインク供給口１２９に向かって流れる。換言すれば、インク収容部２９内のインクが連通口２７６から遠ざかる方向に向かって流れる。このため、連通口２７６を介して、インクが大気開放口１２３から漏れる可能性を低減することができる。
【０１５１】
また、タンク１０では、図７に示すように、大気開放口１２３を囲む筒壁１２４が設けられている。これにより、大気開放口１２３を囲む筒壁１２４により、大気開放口１２３から流出したインクを筒壁１２４で留めやすい。なお、筒壁１２４は、第２凸部に相当する。
【０１５２】
また、タンク１０では、図１７に示すように、使用姿勢において水平方向と交差する方向に延伸する隔壁１７２に上限マーク４８が設けられている。そして、タンク１０では、連通口２７６が、上限マーク４８よりも上方に位置している。これにより、インク収容部２９内のインクが上限マーク４８に達していても、インク収容部２９内のインクが連通口２７６に到達しにくい。これにより、インク収容部２９内のインクが大気連通路２４５を介してタンク１０の外に漏れ出る可能性を一層低減することができる。
【０１５３】
また、タンク１０では、バッファー室２３１、バッファー室２３２、バッファー室２３３、バッファー室２３４、バッファー室２３５、及びバッファー室２３６の容積の合計が、インク収容部２９内のインクの液位が上限マーク４８に達しているときのインクの容積と同等又はインクの容積よりも大きい。これにより、インク収容部２９内のインクが大気連通路２４５に流出しても、インク収容部２９内のインクをバッファー室２３１〜バッファー室２３６で受容可能である。このため、インク収容部２９内から大気連通路２４５に流出したインクをバッファー室２３１〜バッファー室２３６に留めやすいので、インク収容部２９内のインクが大気連通路２４５を介してタンク１０の外に漏れ出る可能性を一層低減することができる。
【０１５４】
また、タンク１０では、使用姿勢においてインク収容部２９内のインクが上限マーク４８に達している状態から、タンク１０の姿勢を隔壁１７２を下方に向けた姿勢に変化させたとき、連通口２７６が、インク収容部２９内のインクの液面よりも上方に位置する。これにより、使用姿勢においてインク収容部２９内のインクが上限マーク４８に達している状態から、タンク１０の姿勢を隔壁１７２が下方に向く姿勢に変化させても、インク収容部２９内のインクが連通口２７６に到達しにくい。よって、タンク１０の姿勢を隔壁１７２が下方に向く姿勢に変化させても、インク収容部２９内のインクが大気連通路２４５を介してタンク１０の外に漏れ出る可能性を低減することができる。
【０１５５】
また、タンク１０では、図１７に示すように、隔壁１７１と交差する方向に延びる隔壁１７６に、隔壁１７６からインク収容部２９の内方に突出する板壁２８２を備えた構成も採用され得る。板壁２８２は、インク注入口４５Ｃと連通口２７６との間に設けられる。板壁２８２によって、インク注入口４５Ｃと連通口２７６との間が隔てられる。これにより、インク注入口４５Ｃからインクをインク収容部２９内に注入するときに、飛散したインクが連通口２７６に付着することを低く抑えることができる。なお、板壁２８２は、隔壁１７５に設けられていてもよい。隔壁１７５及び隔壁１７６が、第２壁に相当する。
【０１５６】
ここで、上記構成のプリンター１において、タンク１０の上端部と、印刷ユニット３の各部位との位置関係について図面に沿って説明する。図１８および図１９は、実施形態１のタンク１０の上端部と印刷部４２の各部位との位置関係を説明するものであり、図１８は、プリンター１の正面からみて示す説明図、図１９は、タンクユニット４側からみて示す説明図である。
図１８および図１９において、タンク１０の上端部１０ｔ液体噴射機構部４１の上端部４１ｔ、および、操作パネル６０の上端部６０ｔの各「上端部」とは、上述の「使用状態」におけるタンク１０、液体噴射機構部４１、および操作パネル６０の最も上方に位置する部分のことをいい、例えば、リブなどの上方に突出した突出部を有する場合は、その突出部の突端を各「上端部」として定義する。また、図１８および図１９において、スキャナーユニット５の下端部５ｂ、および、タンク１０の空気収容室（空気収容部）２４の下端部２４ｂの各「下端部」は、「使用状態」におけるスキャナーユニット５、および、空気収容室（空気収容部）２４の最も下方に位置する部分のことをいい、例えば、下方に突出した突出部を有する場合、その突出部の突端を各「下端部」として定義する。
【０１５７】
図１８および図１９に示すように、タンクユニット４におけるタンク１０の上端部１０ｔは、印刷ユニット３における液体噴射機構部４１の上端部４１ｔよりも上方に位置している。
また、タンク１０の上端部１０ｔは、操作パネル６０の上端部６０ｔの位置と同等、または、操作パネル６０の上端部６０ｔよりも上方に位置している。本実施形態のプリンター１では、タンク１０の上端部１０ｔが、操作パネル６０の上端部６０ｔよりも上方に位置している。
さらに、タンク１０の上端部１０ｔは、操作パネル６０の上端部６０ｔよりもさらに上方に位置するスキャナーユニット５の下端部５ｂよりも上方に位置している。
また、タンク１０におけるインク収容部２９の上方に配置された空気収容室（空気収容部）２４の少なくとも一部（空気収容室２４の下端部２４ｂより上方）が、液体噴射機構部４１の上端部４１ｔより上方に位置している。
【０１５８】
以上に述べた、本実施形態に係るプリンター１によれば、以下の効果を得ることができる。
本実施形態のプリンター１では、液体噴射ヘッドとしての印刷ヘッドを含む印刷部４２に対する印刷媒体Ｐの相対位置を変化させることができる液体噴射機構部４１を使用する使用姿勢において、タンク１０の上端部１０ｔが、液体噴射機構部４１の上端部４１ｔより上方に位置する構成とした。
この構成によれば、使用姿勢において、タンク１０の上端部１０ｔが、液体噴射機構部４１の上端部４１ｔより上方に位置する構成になっているので、プリンター１におけるタンク１０の上方の空間を効率よく利用して、タンク１０のインクを収容する容積（インク収容部２９の容量）を大きくして大容量化を図ることができる。したがって、プリンター１の設置面積の増大（Ｘ軸方向およびＹ軸方向のサイズの増大）を抑えながら、液体容器としてのタンク１０の大容量化が図られたプリンター１を提供することができる。
【０１５９】
また、本実施形態のプリンター１は、印刷ユニット３の上下方向に沿う面である正面２２の液体噴射機構部４１に少なくとも一部が上下方向に沿う正面２２において一部が重なる位置に、プリンター１を操作する各スイッチ等の操作部を有する操作パネル６０を備え、タンク１０の上端部１０ｔが、操作パネル６０の上端部６０ｔの位置と同等、または、操作パネル６０の上端部６０ｔよりも上方に位置する（本実施形態では後者）構成とした。
さらに、本実施形態のプリンター１は、用紙に描かれている画像を読み取り、その画像のデータを出力するスキャナーユニット５を備え、タンク１０の上端部１０ｔは、操作パネル６０の上端部６０ｔよりもさらに上方に位置するスキャナーユニット５の下端部５ｂよりも上方に位置している構成とした。
これらの構成によれば、タンク１０の上端部１０ｔが、操作パネル６０の上端部６０ｔよりも上方に配置されたスキャナーユニット５の下端部５ｂよりも上方に位置する構成になっているので、プリンター１の設置面積の増大を抑えつつ、より大容量化されたタンク１０を備えたプリンター１を提供することができる。
【０１６０】
また、本実施形態のタンク１０は、インクを収容するインク収容部２９と、そのインク収容部２９に収容されたインクの液面の上方に空気が収容されている空気収容室（空気収容部）２４を有しており、空気収容室２４の少なくとも一部（空気収容室２４の下端部２４ｂより上方）が、液体噴射機構部４１の上端部４１ｔより上方に位置する構成とした。
この構成によれば、プリンター１におけるタンク１０の上方の空間を効率よく利用して、プリンター１の設置面積の増大を抑えながら、タンク１０の空気収容室（空気収容部）２４を含むインク収容量を大きくする大容量化を図ることができる。
また、タンク１０の内部に、インク収容部２９とともに、十分な大きさの空気収容室（空気収容部）２４が確保されることから、タンク１０内の内圧を安定化することができ、タンク１０から印刷ヘッドへのインク供給を安定させたり、内圧が不適切になることによるインクの漏れ出しを抑制したりすることが可能になる。
【０１６１】
また、本実施形態のタンク１０は、内部が、インクを収容する液体収容室としてのインク収容部２９と、複数の空気収容室を有する空気収容部としての空気収容室２４とに区画されている構成とした。
この構成によれば、タンク１０の内部が、インクを収容するインク収容部２９と、空気収容室（空気収容部）２４とに区画されているので、タンク１０の内部の内圧の変化などにより空気収容室（空気収容部）２４の大気開放口などからインクが漏れ出る液漏れを抑制することができるという効果が得られる。
【０１６２】
なお、実施形態１におけるプリンター１は、複数（本実施形態では４つ）のタンク１０を備えており、各タンク１０の上端部１０ｔが同じ高さに位置している構成を説明した。これに限らず、例えば、複数のタンク１０のうちの１つでも、液体噴射機構部４１を使用する使用姿勢において、タンク１０の上端部１０ｔが、液体噴射機構部４１の上端部４１ｔより上方に位置する構成であったり、タンク１０の上端部１０ｔが、スキャナーユニット５の下端部５ｂよりも上方に位置している構成であったりすればよい。
同様に、例えば、複数のタンク１０のうちの１つのタンクにおける空気収容部２４の少なくとも一部が、液体噴射機構部４１の上端部４１ｔより上方に位置していればよい。
【０１６３】
（実施形態２）
図２０および図２１は、実施形態２におけるプリンター１Ａの主要構成を示す斜視図である。また、図２２は、実施形態２におけるタンク１０Ａの概略構成を示す説明図であるである。
本実施形態に係るプリンター１Ａについて、これらの図を参照して説明する。なお、実施形態１と同一の構成部位については、同一の符号を付して重複する説明は省略することとし、また、実施形態１と形状等に若干の差異はあるが同一の機能を有する構成部位については、同一の符号の後ろに「Ａ」を付して、機能等の重複する説明は省略する。
【０１６４】
図２０に示すように、本実施形態におけるプリンター１Ａは、印刷ユニット３Ａと、タンクユニット４Ａと、スキャナーユニット５Ａと、を有している。印刷ユニット３Ａは、筐体６Ａを有しており、筐体６Ａが、プリンター１Ａの外殻を構成している。また、プリンター１Ａでは、タンクユニット４Ａは、筐体６Ａの内部に収容されている。タンクユニット４Ａは、複数（本実施形態では４つ）のタンク１０Ａを有している。
【０１６５】
筐体６Ａとスキャナーユニット５Ａとが、プリンター１Ａの外殻を構成している。なお、プリンター１Ａは、スキャナーユニット５Ａを省略した構成も採用され得る。プリンター１Ａは、液体の一例であるインクによって、印刷媒体Ｐに印刷を行うことができる。
【０１６６】
プリンター１Ａの使用状態において、上述した４つのタンク１０Ａは、Ｘ軸に沿って並んでいる。このためＸ軸方向は、４つのタンク１０Ａが配列する方向であるとも定義され得る。即ち、上記実施形態１のプリンター１において、タンク１０の配置箇所が、筐体６のＸ軸方向の側部側（側面２８側）であったのに対して（例えば図１参照）、本実施形態のプリンター１Ａでは、タンク１０Ａの配置箇所が、筐体６ＡのＹ軸方向の前面側になっている。
【０１６７】
プリンター１Ａにおいて、スキャナーユニット５Ａは、印刷ユニット３Ａに対して回動可能に構成されている。スキャナーユニット５Ａは、印刷ユニット３Ａの蓋としての機能も有している。作業者は、スキャナーユニット５ＡをＺ軸方向に持ち上げることによって、図２１に示すように、スキャナーユニット５Ａを印刷ユニット３Ａに対して回動させることができる。これにより、印刷ユニット３Ａの蓋として機能するスキャナーユニット５Ａを印刷ユニット３Ａに対して開くことができる。
【０１６８】
図２０に示すように、印刷ユニット３Ａには、排紙部２１が設けられている。印刷ユニット３Ａでは、排紙部２１から記録媒体Ｐが排出される。印刷ユニット３Ａにおいて、排紙部２１が設けられている面が印刷ユニット３Ａの正面２２Ａとされている。
印刷ユニット３Ａの正面２２Ａの略中央において、排紙部２１の上方には、プリンター１Ａを操作するスイッチ等の操作部を有する操作パネル６０Ａが備えられている。
また、プリンター１Ａは、正面２２Ａに交差する上面２３と、正面２２Ａ及び上面２３に交差する側面２８とを有している。印刷ユニット３Ａにおいて、タンクユニット４Ａは、正面２２Ａの側部である側面２８側に設けられている。筐体６Ａには、窓部２５Ａが設けられている。窓部２５Ａは、筐体６Ａにおいて、正面２２Ａに設けられている。
【０１６９】
窓部２５Ａは、光透過性を有している。そして、窓部２５Ａに重なる位置に、タンク１０Ａが設けられている。このため、プリンター１Ａを使用する作業者は、窓部２５Ａを介してタンク１０Ａを視認することができる。本実施形態では、窓部２５Ａは、筐体６Ａに形成された開口として設けられている。そして、開口として設けられた窓部２５Ａは、光透過性を有する部材８で塞がれている。このため、作業者は、開口である窓部２５Ａを介してタンク１０Ａを視認することができる。なお、窓部２５Ａを塞ぐ部材８を省略した構成も採用され得る。窓部２５Ａを塞ぐ部材８が省略されていても、作業者は、開口である窓部２５Ａを介してタンク１０Ａを視認することができる。
【０１７０】
本実施形態では、タンク１０Ａの窓部２５Ａに対面する部位の少なくとも一部が光透過性を有している。タンク１０Ａの光透過性を有する部位から、タンク１０Ａ内のインクが視認され得る。
従って、作業者は、窓部２５Ａを介して４つのタンク１０Ａを視認することによって、各タンク１０Ａにおけるインクの量を視認することができる。つまり、タンク１０Ａでは、窓部２５Ａに対面する部位の少なくとも一部を、インクの量を視認可能な視認部として活用することができる。
【０１７１】
筐体６Ａは、カバー７Ａを有している。カバー７Ａは、筐体６Ａに対して図中のＲ１方向に回動可能に構成されている。印刷ユニット３Ａにおいて、カバー７Ａは、正面２２Ａに設けられている。印刷ユニット３Ａを−Ｙ軸方向に見たとき、印刷ユニット３Ａの正面２２Ａにおいて、カバー７Ａは、タンク１０Ａに重なる位置に設けられている。カバー７Ａを筐体６Ａに対して図中のＲ１方向に回動させると、カバー７Ａが筐体６Ａに対して開く。カバー７Ａを筐体６Ａに対して開くことによって、作業者は、筐体６Ａの外側からタンク１０Ａの液体注入部（不図示）にアクセスすることができる。
【０１７２】
また、筐体６Ａは、図２１に示すように、第１筐体６Ａ１と、第２筐体６Ａ２と、を含む。第１筐体６Ａ１と第２筐体６Ａ２とは、Ｚ軸方向に沿って重ねられている。第１筐体６Ａ１は、第２筐体６Ａ２よりも−Ｚ軸方向に位置している。第１筐体６Ａ１と第２筐体６Ａ２との間にはタンク１０Ａや液体噴射ヘッドとしての印刷ヘッド（不図示）を含む液体噴射機構部４１が収容されている（図２０参照）。つまり、タンク１０Ａや液体噴射機構部４１は、筐体６Ａに覆われている。このため、タンク１０Ａや液体噴射機構部４１を筐体６Ａで保護することができる。
なお、上記の例では、印刷ユニット３Ａとタンクユニット４Ａとを個別の構成として説明したが、タンクユニット４Ａを印刷ユニット３Ａの構成に含めることもできる。
また、本実施形態では、タンクユニット４Ａが複数（４つ）のタンク１０Ａを有している構成を説明したが、タンク１０Ａの数量は４つに限定されず、３つや、３つを下回る数量、あるいは、４つを超える数量も採用され得る。
【０１７３】
次に、本実施形態のタンク１０Ａについて詳細に説明する。タンクとしては、上述した実施形態１のタンク１０の構造や形状に限定されない。例えば、図２２に示すタンク１０Ａのように、タンク１０Ａ内部がインク収容室と空気収容室とに区画されることなく、タンク１０Ａ内部の同一空間を、インクが収容されたインク収容部２９と、そのインクの液面２９１の上方に空気が収容されている空気収容部２８９が形成される構造も採用され得る。実施形態２のタンク１０Ａでは、インク収容部２９のインクの液面２９１が上限マーク４８に達している状態でインクの液面２９１の上方に空間が形成される。実施形態２のタンク１０Ａでは、インクの液面２９１の上方に形成される空間が空気収容部（空気収容室）２８９として構成されている。ケース２９２の壁２９３に連通口２７６が開口される。壁２９３は、第１壁に相当し、シート部材２９４に対向する位置に設けられている。なお、ケース２９２はケース１３７と同様の材料で構成され、シート部材２９４はシート部材１３８と同様の材料で構成されている。
【０１７４】
実施形態２のタンク１０Ａにおいても、連通口２７６が、タンク１０Ａの内部（インク収容部２９および空気収容部２８９）において壁２９３と他の壁とが交わる角部２８１から離間した位置に形成されている。また、連通口２７６が開口されている壁２９３がシート部材２９４に対向し、連通口２７６がシート部材２９４から離間している。変形例５のタンク１０において、インク注入口４５Ｃと連通口２７６との間に板壁２８２を設けた構成も採用され得る。
【０１７５】
以上述べた構成のプリンター１Ａにおいて、タンク１０Ａの上端部と、印刷ユニット３Ａの各部位との位置関係は、操作パネル６０Ａに対するものを除いて、上記実施形態１と同様である。
即ち、図２０および図２１に示す実施形態２のプリンター１Ａの使用姿勢において、タンク１０Ａの上端部は、液体噴射機構部４１の上端部より上方に位置する。
また、本実施形態のプリンター１Ａの使用姿勢において、タンク１０Ａの上端部は、スキャナーユニット５Ａの下端部よりも上方に位置している。また、空気収容部２８９の少なくとも一部は、液体噴射機構部４１の上端部より上方に位置している。
これらの構成によれば、プリンター１Ａにおいて、タンク１０Ａの上方の空間を効率的に利用して、プリンター１Ａの設置面積の増大を抑えながら、タンク１０Ａのインク収容量を大きくすることができる。
なお、図２０および図２１に示す本実施形態のプリンター１Ａでは、説明の便宜上、敢えて操作パネル６０Ａに対するタンク１０Ａの上端部の位置関係が、上記実施形態１の位置関係を満たしていないが、操作パネル６０Ａの配置およびタンク１０Ａの上端部の位置（タンク１０Ａのインク収容量）に変更を加えることにより、実施形態１と同様に、タンク１０Ａの上端部が、操作パネル６０Ａの上端部よりも上方に位置する構成とすることができる。
また、実施形態２のプリンター１Ａにおいては、タンク１０Ａ内部の同一空間を、インクが収容されたインク収容部２９と、そのインクの液面２９１の上方に空気が収容されている空気収容部２８９が形成される構造を採用したが、タンク１０Ａ内部をインク収容室と空気収容室とに区画する構造を採用してもよい。
【０１７６】
上記各実施形態、各実施例において、液体噴射装置は、インク以外の他の液体を噴射したり吐出したり塗布したりして消費する液体噴射装置であってもよい。なお、液体噴射装置から微小量の液滴となって吐出される液体の状態としては、粒状、涙状、糸状に尾を引くものも含むものとする。また、ここでいう液体は、液体噴射装置で消費させることができるような材料であればよい。例えば、物質が液相であるときの状態のものであればよく、粘性の高い又は低い液状体、ゾル、ゲル水、その他の無機溶剤、有機溶剤、溶液、液状樹脂、液状金属（金属融液）のような流状体を含むものとする。また、物質の一状態としての液体のみならず、顔料や金属粒子などの固形物からなる機能材料の粒子が溶媒に溶解、分散又は混合されたものなども含むものとする。液体の代表的な例としては、上記各実施形態で説明したようなインクの他、液晶等も挙げられる。ここで、インクとは一般的な水性インク及び油性インク並びにジェルインク、ホットメルトインク等の各種液体組成物を包含するものとする。更に、インクとして、昇華転写インクを用いることができる。昇華転写インクは、例えば昇華性染料のような昇華性の色材を含むインクである。印刷方法は、そのような昇華転写インクを液体噴射装置により転写媒体に噴射し、その転写媒体を被印刷物に接触させ加熱して色材を昇華させて被印刷物に転写させる。被印刷物はＴシャツやスマートフォン等である。このように、昇華性の色材を含むインクであれば、多様な被印刷物（印刷媒体）に印刷を行うことができる。液体噴射装置の具体例としては、例えば、液晶ディスプレイ、ＥＬ（エレクトロルミネッセンス）ディスプレイ、面発光ディスプレイ、カラーフィルターの製造等に用いられる電極材や色材等の材料を分散又は溶解のかたちで含む液体を噴射する液体噴射装置がある。また、バイオチップ製造に用いられる生体有機物を噴射する液体噴射装置、精密ピペットとして用いられ試料となる液体を噴射する液体噴射装置、捺染装置やマイクロディスペンサー等であってもよい。さらに、時計やカメラ等の精密機械にピンポイントで潤滑油を噴射する液体噴射装置、光通信素子等に用いられる微小半球レンズ（光学レンズ）などを形成するために紫外線硬化樹脂等の透明樹脂液を基板上に噴射する液体噴射装置であってもよい。また、基板などをエッチングするために酸又はアルカリ等のエッチング液を噴射する液体噴射装置であってもよい。
【０１７７】
なお、本発明は、上述の実施形態や実施例に限られるものではなく、その趣旨を逸脱しない範囲において種々の構成で実現することができる。例えば、発明の概要の欄に記載した各形態中の技術的特徴に対応する実施形態、実施例中の技術的特徴は、上述の課題の一部又は全部を解決するために、あるいは、上述の効果の一部又は全部を達成するために、適宜、差し替えや、組み合わせを行うことが可能である。また、その技術的特徴が本明細書中に必須なものとして説明されていなければ、適宜、削除することが可能である。
【符号の説明】
【０１７８】
１，１Ａ…液体噴射装置の一例としてのプリンター、３，３Ａ…印刷ユニット、４，４Ａ…タンクユニット、５，５Ａ…画像読み取り機構部の一例としてのスキャナーユニット、５ｂ…スキャナーユニットの下端部、６，６Ａ…（印刷ユニットの）筐体、６Ａ１…第１筐体、６Ａ２…第２筐体、７…（タンクユニットの）筐体、７Ａ…カバー、８…部材、１０，１０Ａ…液体容器としてのタンク、１０ｔ…タンクの上端部、２１…排紙部、２２…正面、２３…上面、２４…空気収容部としての空気収容室、２４ｂ…空気収容室（空気収容部）の下端部、２５，２５Ａ…窓部、２６…正面、２７…上面、２８…側面、２９…液体収容部としてのインク収容部、３１…原稿カバー、３２…原稿載置面、４１…液体噴出機構部、４１ｔ…液体噴射機構部の上端部、４２…印刷部、４３…インク供給チューブ、４４…標識、４５…注入部、４５Ａ…筒部、４５Ｂ…インク導入口、４５Ｃ…インク注入口、４６…視認面、４７…カバー、４８…上限マーク、４９…下限マーク、５１…第１筐体、５２…第２筐体、５２Ａ…本体、５３，５３Ａ〜５３Ｄ…キャップ、５４，５４Ａ〜５４Ｄ…受け皿、６０…操作パネル、６０ｔ…操作パネルの上端部、７１…被覆部、７２，７３…壁、７４…開口部、８１，８１Ａ〜８１Ｄ…凹部、８２，８２Ａ〜８２Ｄ…傾斜壁、８３…一辺、８４，８４Ａ〜８４Ｄ…接続部、１０１〜１１６…面、１２１…囲壁、１２２…大気開放部、１２３…大気開放口、１２４…筒壁、１２５…被固定部、１２６…脚部、１２７…張り出し部、１２８…インク供給部、１２９…インク供給口、１３１…チューブ保持部、１３２，１３３…リブ、１３５…前面、１３７…ケース、１３８…シート部材、１４１〜１４９…凹部、１５１…接合部、１５２…防水通気フィルム、１５３…シート部材、１５４〜１５８…凹部、１６１，１６２…区画壁、１６３…接合部、１７１〜１８９，２１９…隔壁、２０１〜２０４…接続部、２０５…切欠き部、２１１〜２１８，２２２，２６１〜２７６…連通口、２２１…凹部、２３１〜２３６，２５１，２５２…バッファー室、２４１〜２４３，２５３〜２５５…連通路、２４５…大気連通路、２４６…支持部、２６０…流路、２８１…角部、２８２…板壁、２８９…空気収容部、２９１…インクの液面、２９２…ケース、２９３…壁、２９４…シート部材。
【図１】
2018001528.tif 000003
【図２】
2018001528.tif 000004
【図３】
2018001528.tif 000005
【図４】
2018001528.tif 000006
【図５】
2018001528.tif 000007
【図６】
2018001528.tif 000008
【図７】
2018001528.tif 000009
【図８】
2018001528.tif 000010
【図９】
2018001528.tif 000011
【図１０】
2018001528.tif 000012
【図１１】
2018001528.tif 000013
【図１２】
2018001528.tif 000014
【図１３】
2018001528.tif 000015
【図１４】
2018001528.tif 000016
【図１５】
2018001528.tif 000017
【図１６】
2018001528.tif 000018
【図１７】
2018001528.tif 000019
【図１８】
2018001528.tif 000020
【図１９】
2018001528.tif 000021
【図２０】
2018001528.tif 000022
【図２１】
2018001528.tif 000023
【図２２】
2018001528.tif 000024